(57)【要約】  本発明は、連絡先記録処理方法、装置、プログラム、及び記録媒体に関し、前記連絡先記録処理方法は、連絡先記録に記憶される電話番号の使用時間が前記電話番号の使用期限を超えたかを検出するステップと、前記使用時間が前記使用期限を超えた場合、前記連絡先記録から前記電話番号を削除するステップを含む。本発明は、電話番号の使用時間が使用期限を超えたかを検出し、使用期限を超えた場合、連絡先記録から前記電話番号を自動的に削除することができる。本発明は、使用期限が到達したときに連絡先記録から使用期限を有する電話番号を自動的に削除して、ユーザーが容易にアドレス帳を管理できるように支援する目的に達成できるので、ユーザーの便宜を図ることができる。【選択図】図１
2017534226.tif 000002
【特許請求の範囲】
【請求項１】
連絡先記録に記憶される電話番号の使用時間が前記電話番号の使用期限を超えたかを検出するステップと、
前記使用時間が前記使用期限を超えると、前記連絡先記録から前記電話番号を削除するステップと、を含むことを特徴とする連絡先記録処理方法。
【請求項２】
プリセット周期によって、前記使用期限を取得するステップをさらに含むことを特徴とする請求項１に記載の連絡先記録処理方法。
【請求項３】
前記プリセット周期によって前記使用期限を取得するステップは、
プリセット周期によって前記電話番号をサービス端にアップロードするステップと、
前記サービス端が送信する前記電話番号によって照会される使用期限を受信するステップと、を含むことを特徴とする請求項２に記載の連絡先記録処理方法。
【請求項４】
発呼端の着呼（Ｉｎｃｏｍｉｎｇ Ｃａll）要求を受信すると、前記着呼要求によって着呼する電話番号を取得するステップと、
前記連絡先記録に前記電話番号が記憶されていない場合、サービス端が送信する前記発呼端の発呼ユーザー情報を取得するステップと、
前記連絡先記録に前記発呼ユーザー情報に対応する目標連絡先が記録されているかを照会するステップと、
前記目標連絡先が記録されていることが照会されると、前記電話番号を前記目標連絡先に対応するユーザー情報に追加するステップと、をさらに含み、
前記連絡先記録には、１つ以上の連絡先及び前記連絡先に対応するユーザー情報が記録されていることを特徴とする請求項１に記載の連絡先記録処理方法。
【請求項５】
前記サービス端が送信する前記発呼端の発呼ユーザー情報を取得するステップは、
前記着呼する電話番号を前記サービス端に送信するステップと、
前記サービス端が送信する前記着呼する電話番号によって照会される発呼ユーザー情報を受信するステップと、を含むことを特徴とする請求項４に記載の連絡先記録処理方法。
【請求項６】
端末の連絡先記録に記憶された電話番号の使用期限を照会するステップと、
前記使用期限を端末に送信して、端末が前記電話番号の使用時間が前記使用期限を超えることを検出すると、前記連絡先記録から前記電話番号を削除するステップと、を含むことを特徴とする連絡先記録処理方法。
【請求項７】
前記端末の連絡先記録に記憶された電話番号の使用期限を照会するステップは、
前記端末がアップロードした電話番号を受信するステップと、
第１のプリセット関係リストから前記電話番号に対応する使用期限を照会するステップと、を含み、
前記第１のプリセット関係リストには、電話番号と使用期限の対応関係が記録されていることを特徴とする請求項６に記載の連絡先記録処理方法。
【請求項８】
前記端末に着呼要求を送信する発呼端の発呼ユーザー情報を照会するステップと、
前記発呼ユーザー情報を前記端末に送信して、前記端末が前記電話番号を連絡先記録中の前記発呼ユーザー情報に対応する目標連絡先のユーザー情報に追加するステップと、をさらに含むことを特徴とする請求項６に記載の連絡先記録処理方法。
【請求項９】
前記端末に着呼要求を送信する発呼端の発呼ユーザー情報を照会するステップは、
前記端末が前記着呼要求を受信したときにアップロードした着呼する電話番号を受信するステップと、
第２のプリセット関係リストから前記着呼する電話番号に対応する発呼ユーザー情報を照会するステップと、を含み、
前記第２のプリセット関係リストには、ユーザー情報と電話番号の対応関係が記録されていることを特徴とする請求項８に記載の連絡先記録処理方法。
【請求項１０】
連絡先記録に記憶される電話番号の使用時間が前記電話番号の使用期限を超えたかを検出するように構成される検出モジュールと、
前記検出モジュールが検出した前記電話番号の使用時間が前記使用期限を超えると、前記連絡先記録から前記電話番号を削除するように構成される削除モジュールと、を備えることを特徴とする連絡先記録処理装置。
【請求項１１】
プリセット周期によって、前記使用期限を取得するように構成される期限取得モジュールをさらに備えることを特徴とする請求項１０に記載の連絡先記録処理装置。
【請求項１２】
前記期限取得モジュールは、
プリセット周期によって前記電話番号をサービス端にアップロードするように構成される番号アップロードサブモジュールと、
前記サービス端が送信する前記番号アップロードサブモジュールがアップロードした前記電話番号によって照会される使用期限を受信するように構成される期限受信サブモジュールと、を備えることを特徴とする請求項１１に記載の連絡先記録処理装置。
【請求項１３】
発呼端の着呼（Ｉｎｃｏｍｉｎｇ Ｃａｌｌ）要求を受信すると、前記着呼要求によって着呼する電話番号を取得するように構成される番号取得モジュールと、
前記連絡先記録に前記番号取得モジュールが取得した電話番号が記憶されていない場合、サービス端が送信する前記発呼端の発呼ユーザー情報を取得するように構成される情報取得モジュールと、
前記連絡先記録に前記情報取得モジュールが取得した前記発呼ユーザー情報に対応する目標連絡先が記録されているかを照会するように構成される連絡先照会モジュールと、
前記連絡先照会モジュールが前記目標連絡先が記録されていることを照会すると、前記電話番号を前記目標連絡先に対応するユーザー情報に追加するように構成される追加モジュールと、をさらに備え、
前記連絡先記録には、１つ以上の連絡先及び前記連絡先に対応するユーザー情報が記録されていることを特徴とする請求項１０に記載の連絡先記録処理装置。
【請求項１４】
前記情報取得モジュールは、
前記着呼する電話番号を前記サービス端に送信するように構成される送信サブモジュールと、
前記サービス端が送信する、前記送信サブモジュールが送信する前記着呼する電話番号によって照会される発呼ユーザー情報を受信するように構成される情報受信サブモジュールと、を備えることを特徴とする請求項１３に記載の連絡先記録処理装置。
【請求項１５】
端末の連絡先記録に記憶された電話番号の使用期限を照会するように構成される期限照会モジュールと、
前記期限照会モジュールが照会した前記使用期限を端末に送信して、端末が前記電話番号の使用時間が前記使用期限を超えることを検出すると、前記連絡先記録から前記電話番号を削除するように構成される期限送信モジュールと、を備えることを特徴とする連絡先記録処理装置。
【請求項１６】
前記期限照会モジュールは、
前記端末がアップロードした電話番号を受信するように構成される番号受信サブモジュールと、
第１のプリセット関係リストから前記番号受信サブモジュールが受信した前記電話番号に対応する使用期限を照会するように構成される期限照会サブモジュールと、を備え、
前記第１のプリセット関係リストには、電話番号と使用期限の対応関係が記録されていることを特徴とする請求項１５に記載の連絡先記録処理装置。
【請求項１７】
前記端末に着呼要求を送信する発呼端の発呼ユーザー情報を照会するように構成される情報照会モジュールと、
前記情報照会モジュールが照会した前記発呼ユーザー情報を前記端末に送信して、前記端末が前記電話番号を連絡先記録中の前記発呼ユーザー情報に対応する目標連絡先のユーザー情報に追加するように構成される情報送信モジュールと、をさらに備えることを特徴とする請求項１５に記載の連絡先記録処理装置。
【請求項１８】
前記情報照会モジュールは、
前記端末が前記着呼要求を受信したときにアップロードした着呼する電話番号を受信するように構成される番号受信サブモジュールと、
第２のプリセット関係リストから前記番号受信モジュールが受信した前記電話番号に対応する発呼ユーザー情報を照会するように構成される情報検索サブモジュールと、を備え、
前記第２のプリセット関係リストには、ユーザー情報と電話番号の対応関係が記録されていることを特徴とする請求項１７に記載の連絡先記録処理装置。
【請求項１９】
プロセッサーと、
前記プロセッサーによって実行可能な命令を記憶するメモリと、を備え、
前記プロセッサーは、
連絡先記録に記憶された電話番号の使用時間が前記電話番号の使用期限を超えたかを検出し、
前記使用時間が前記使用期限を超えると、前記連絡先記録から前記電話番号を削除するように構成されることを特徴とする連絡先記録処理装置。
【請求項２０】
プロセッサーと、
前記プロセッサーによって実行可能な命令を記憶するメモリと、を備え、
前記プロセッサーは、
端末の連絡先記録に記憶された電話番号の使用期限を照会し、
前記使用期限を端末に送信して、端末が前記電話番号の使用時間が前記使用期限を超えることを検出すると、前記連絡先記録から前記電話番号を削除するように構成されることを特徴とする連絡先記録処理装置。
【発明の詳細な説明】
【相互参照】
【０００１】
本願は、出願番号が２０１５１０５４９１２８．８であって、出願日が２０１５年８月３１日である中国特許出願を基礎として優先権を主張し、当該中国特許出願の内容の全体を本願に援用する。
【技術分野】
【０００２】
本発明は、通信技術分野に関し、より詳細には、連絡先記録処理方法、及び装置に関する。
【背景技術】
【０００３】
モバイル通信技術の発展は、いつでもどこでも、他の人と話すことができるようにして、人々の日常生活に多くの利便性をもたらしている。現在の仮想ＳＩＭ（Ｓｕｂｓｃｒｉｂｅｒ Ｉｄｅｎｔｉｔｙ Ｍｏｄｕｌｅ、加入者識別モジュール）カードサービスがますます脚光を浴びている。ユーザーは、仮想ＳＩＭカードサービスを購入すると、一時的携帯電話の番号のいずれかを取得することができる。前記一時番号は期限に達すると、効力を喪失して、ユーザーがアドレス帳を管理する不便な点がある。
【発明の概要】
【発明が解決しようとする課題】
【０００４】
本発明は、関連技術の問題点を解決するために、連絡先記録処理方法及び装置を提供する。
【課題を解決するための手段】
【０００５】
本発明の第１の態様によると、連絡先記録処理方法が提供され、前記方法は、
連絡先記録に記憶される電話番号の使用時間が前記電話番号の使用期限を超えたかを検出するステップと、
前記使用時間が前記使用期限を超えると、前記連絡先記録から前記電話番号を削除するステップと、を含む。
【０００６】
好ましくは、前記方法は、
プリセット周期によって、前記使用期限を取得するステップをさらに含むことを特徴とする。
【０００７】
好ましくは、前記プリセット周期によって前記使用期限を取得するステップは、
プリセット周期によって前記電話番号をサービス端にアップロードするステップと、
前記サービス端が送信する前記電話番号によって照会される使用期限を受信するステップと、を含む。
【０００８】
好ましくは、前記方法は、
発呼端の着呼（Ｉｎｃｏｍｉｎｇ Ｃａｌｌ）要求を受信すると、前記着呼要求によって着呼する電話番号を取得するステップと、
前記連絡先記録に前記電話番号が記憶されていない場合、サービス端が送信する前記発呼端の発呼ユーザー情報を取得するステップと、
前記連絡先記録に前記発呼ユーザー情報に対応する目標連絡先が記録されているかを照会するステップと、
前記目標連絡先が記録されていることが照会されると、前記電話番号を前記目標連絡先に対応するユーザー情報に追加するステップと、をさらに含み、
前記連絡先記録には、１つ以上の連絡先及び前記連絡先に対応するユーザー情報が記録されている。
【０００９】
好ましくは、前記サービス端が送信する前記発呼端の発呼ユーザー情報を取得するステップは、
前記着呼する電話番号を前記サービス端に送信するステップと、
前記サービス端が送信する前記着呼する電話番号によって照会される発呼ユーザー情報を受信するステップと、を含む。
【００１０】
本発明の第２の態様によると、連絡先記録処理方法が提供され、前記方法は、
端末の連絡先記録に記憶された電話番号の使用期限を照会するステップと、
前記使用期限を端末に送信して、端末が前記電話番号の使用時間が前記使用期限を超えることを検出すると、前記連絡先記録から前記電話番号を削除するステップと、を含む。
【００１１】
好ましくは、前記端末の連絡先記録に記憶された電話番号の使用期限を照会するステップは、
前記端末がアップロードした電話番号を受信するステップと、
第１のプリセット関係リストから前記電話番号に対応する使用期限を照会するステップと、を含み、
前記第１のプリセット関係リストには、電話番号と使用期限の対応関係が記録されている。
【００１２】
好ましくは、前記端末に着呼要求を送信する発呼端の発呼ユーザー情報を照会するステップと、
前記発呼ユーザー情報を前記端末に送信して、前記端末が前記電話番号を連絡先記録中の前記発呼ユーザー情報に対応する目標連絡先のユーザー情報に追加するステップと、をさらに含む。
【００１３】
好ましくは、前記端末に着呼要求を送信する発呼端の発呼ユーザー情報を照会するステップは、
前記端末が前記着呼要求を受信したときにアップロードした着呼する電話番号を受信するステップと、
第２のプリセット関係リストから前記着呼する電話番号に対応する発呼ユーザー情報を照会するステップと、を含み、
前記第２のプリセット関係リストには、ユーザー情報と電話番号の対応関係が記録されている。
【００１４】
本発明の第３の態様によると、連絡先記録処理装置が提供され、前記装置は、
連絡先記録に記憶される電話番号の使用時間が前記電話番号の使用期限を超えたかを検出するように構成される検出モジュールと、
前記検出モジュールが検出した前記電話番号の使用時間が前記使用期限を超えると、前記連絡先記録から前記電話番号を削除するように構成される削除モジュールと、を備える。
【００１５】
好ましくは、前記装置は、
プリセット周期によって、前記使用期限を取得するように構成される期限取得モジュールをさらに備える。
【００１６】
好ましくは、前記期限取得モジュールは、
プリセット周期によって前記電話番号をサービス端にアップロードするように構成される番号アップロードサブモジュールと、
前記サービス端が送信する前記番号アップロードサブモジュールがアップロードした前記電話番号によって照会される使用期限を受信するように構成される期限受信サブモジュールと、を備える。
【００１７】
好ましくは、発呼端の着呼（Ｉｎｃｏｍｉｎｇ Ｃａｌｌ）要求を受信すると、前記着呼要求によって着呼する電話番号を取得するように構成される番号取得モジュールと、
前記連絡先記録に前記番号取得モジュールが取得した電話番号が記憶されていない場合、サービス端が送信する前記発呼端の発呼ユーザー情報を取得するように構成される情報取得モジュールと、
前記連絡先記録に前記情報取得モジュールが取得した前記発呼ユーザー情報に対応する目標連絡先が記録されているかを照会するように構成される連絡先照会モジュールと、
前記連絡先照会モジュールが前記目標連絡先が記録されていることを照会すると、前記電話番号を前記目標連絡先に対応するユーザー情報に追加するように構成される追加モジュールと、をさらに備え、
前記連絡先記録には、１つ以上の連絡先及び前記連絡先に対応するユーザー情報が記録されている。
【００１８】
好ましくは、前記情報取得モジュールは、
前記着呼する電話番号を前記サービス端に送信するように構成される送信サブモジュールと、
前記サービス端が送信する、前記送信サブモジュールが送信する前記着呼する電話番号によって照会される発呼ユーザー情報を受信するように構成される情報受信サブモジュールと、を備える。
【００１９】
本発明の第４の態様によると、連絡先記録処理装置が提供され、前記装置は、
端末の連絡先記録に記憶された電話番号の使用期限を照会するように構成される期限照会モジュールと、
前記期限照会モジュールが照会した前記使用期限を端末に送信して、端末が前記電話番号の使用時間が前記使用期限を超えることを検出すると、前記連絡先記録から前記電話番号を削除するように構成される期限送信モジュールと、を備える。
【００２０】
好ましくは、前記期限照会モジュールは、
前記端末がアップロードした電話番号を受信するように構成される番号受信サブモジュールと、
第１のプリセット関係リストから前記番号受信サブモジュールが受信した前記電話番号に対応する使用期限を照会するように構成される期限照会サブモジュールと、を備え、
前記第１のプリセット関係リストには、電話番号と使用期限の対応関係が記録されている。
【００２１】
好ましくは、前記装置は、
前記端末に着呼要求を送信する発呼端の発呼ユーザー情報を照会するように構成される情報照会モジュールと、
前記情報照会モジュールが照会した前記発呼ユーザー情報を前記端末に送信して、前記端末が前記電話番号を連絡先記録中の前記発呼ユーザー情報に対応する目標連絡先のユーザー情報に追加するように構成される情報送信モジュールと、をさらに備える。
【００２２】
好ましくは、前記情報照会モジュールは、
前記端末が前記着呼要求を受信したときにアップロードした着呼する電話番号を受信するように構成される番号受信サブモジュールと、
第２のプリセット関係リストから前記番号受信モジュールが受信した前記電話番号に対応する発呼ユーザー情報を照会するように構成される情報検索サブモジュールと、を備え、
前記第２のプリセット関係リストには、ユーザー情報と電話番号の対応関係が記録されている。
【００２３】
本発明の第５の態様によると、連絡先記録処理装置が提供され、前記装置は、
プロセッサーと、
前記プロセッサーによって実行可能な命令を記憶するメモリと、を備え、
前記プロセッサーは、
連絡先記録に記憶された電話番号の使用時間が前記電話番号の使用期限を超えたかを検出し、
前記使用時間が前記使用期限を超えると、前記連絡先記録から前記電話番号を削除するように構成される。
【００２４】
本発明の第６の態様によると、連絡先記録処理装置が提供され、前記装置は、
プロセッサーと、
前記プロセッサーによって実行可能な命令を記憶するメモリと、を備え、
前記プロセッサーは、
端末の連絡先記録に記憶された電話番号の使用期限を照会し、
前記使用期限を端末に送信して、端末が前記電話番号の使用時間が前記使用期限を超えることを検出すると、前記連絡先記録から前記電話番号を削除するように構成される。
【発明の効果】
【００２５】
本発明が提供した技術案によれば、以下のような有益な効果を獲得することができる。
【００２６】
本発明では、連絡先記録に記憶された電話番号の使用期限を確定するとともに、前記電話番号の使用時間が使用期限を超えたかを検出し、使用期限を超えた場合、連絡先記録から前記電話番号を自動的に削除する。本発明は、使用期限に到達すると、連絡先記録から前記使用期限を有する電話番号を自動的に削除して、ユーザーがアドレス帳を容易に管理する目的に達成するように支援できるので、ユーザーの便宜を図ることができる。
【００２７】
本発明では、プリセット周期によって前記使用期限を取得することができるので、使用期限に変化があったときアップデートして、電話番号の使用期限に達したか否かの判断がより正確になる。
【００２８】
本発明では、サービス端から使用期限を取得する方式が容易に実現でき、前記方式はさらに知能的であり、ユーザーの操作ステップを減らし、ユーザーの便宜を図ることができる。
【００２９】
本発明では、着呼端が発呼端の着呼要求を受信可能であり、着呼端の連絡先記録に前記電話番号が記憶されていない場合、サービス端が照会した発呼端の発呼ユーザー情報を取得するとともに、前記発呼ユーザー情報によって連絡先記録中の対応する目標連絡先を確定することができる。したがって、本発明は、電話番号を目標連絡先に対応するユーザー情報に自動的に追加することができる。本発明は、サービス端を介して発呼ユーザーに関連するより多くのユーザー情報を取得して、さらに発呼ユーザーを識別し、電話番号を自動的に記憶してユーザーの便宜を図ることができる。
【００３０】
本発明では、サービス端は複数個のユーザーに対応するユーザー情報を記録しているので、前記着呼する電話番号をサービス端に送信して、サービス端が前記着呼される電話番号によって発呼端のユーザー情報を照会できようにする。前記方式は容易に実現されるとともに、正確率が高い。
【００３１】
本発明では、サービス端は電話番号に対応する使用期限を照会するとともに、端末に提供して、端末が前記電話番号の使用時間が使用期限を超過したことを検出すると、連絡先記録から前記電話番号を削除にして、ユーザーがアドレス帳を容易に管理する目的に達成するように支援できるので、ユーザーの便宜を図ることができる。
【００３２】
本発明では、サービス端は第１のプリセット関係リストを確立して、電話番号と使用期限の対応関係を記録する。端末が使用期限を取得する必要があるとき、端末が送信した電話番号によって、第１のプリセットの関係リストから対応する使用期限を照会するとともに、端末にフィードバックする。前記方式は容易に実現され、使用期限を容易に照会し、正確率が高い。
【００３３】
本発明では、サービス端は前記発呼ユーザー情報を端末にフィードバックして、端末が前記電話番号を連絡先記録中の前記発呼ユーザー情報に対応する目標連絡先のユーザー情報に追加して、端末が発呼端が臨時電話番号を利用して発呼した着呼を受信するとき、臨時電話番号を連絡先記録に自動的に追加する。
【００３４】
本発明では、サービス端は第２のプリセット関係リストを確立して電話番号とユーザー情報の対応関係を記録する。端末が発呼ユーザー情報を取得する必要があるとき、端末が送信した着呼電話番号によって第２のプリセット関係リストから対応する発呼ユーザー情報を照会するとともに端末にフィードバックする。前記方式は容易に実現され、発呼ユーザー情報を容易に照会し、正確率が高い。
【００３５】
なお、前記一般的な記載及び後述の詳細な記載は、単なる例示的で解釈的な記載であり、本発明を限定しない。
【図面の簡単な説明】
【００３６】
以下の図面は、明細書に組み入れて本明細書の一部分を構成し、本発明に該当する実施例を例示するとともに、明細書とともに本発明の原理を解釈する。
【図１】本発明の一例示的な実施例に係る連絡先記録処理方法を示すフローチャートである。
【図２Ａ】本発明の一例示的な実施例に係る他の連絡先記録処理方法を示すフローチャートである。
【図２Ｂ】本発明の一例示的な実施例に係る他の連絡先記録処理方法を示すフローチャートである。
【図３】本発明の一例示的な実施例に係る他の連絡先記録処理方法を示すフローチャートである。
【図４】本発明の一例示的な実施例に係る連絡先記録処理装置を示すブロック図である。
【図５】本発明の一例示的な実施例に係る他の連絡先記録処理装置を示すブロック図である。
【図６】本発明の一例示的な実施例に係る他の連絡先記録処理装置を示すブロック図である。
【図７】本発明の一例示的な実施例に係る他の連絡先記録処理装置を示すブロック図である。
【図８】本発明の一例示的な実施例に係る他の連絡先記録処理装置を示すブロック図である。
【図９】本発明の一例示的な実施例に係る他の連絡先記録処理装置を示すブロック図である。
【図１０】本発明の一例示的な実施例に係る他の連絡先記録処理装置を示すブロック図である。
【図１１】本発明の一例示的な実施例に係る他の連絡先記録処理装置を示すブロック図である。
【図１２】本発明の一例示的な実施例に係る他の連絡先記録処理装置を示すブロック図である。
【図１３】本発明の一例示的な実施例に係る連絡先記録処理装置に応用されるブロック図である。
【図１４】本発明の一例示的な実施例に係る他の連絡先記録処理装置に応用されるブロック図である。
【発明を実施するための形態】
【００３７】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００３８】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００３９】
また、本発明は、第１の、第２の、第３等の用語を使って各種の情報を説明するが、それらの情報は前記用語に限定されない。それらの用語は、同一種類の情報同士を区分するためのものに過ぎない。例えば、本発明の範囲から逸脱しない範囲で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００４０】
本発明の実施例に係る連絡先記録処理方法は、使用期限を有する電話番号に対する自動管理に応用可能である。本発明の実施例において、端末は、連絡先記録に記録した電話番号の使用時間が使用期限を超えたかを検出し、使用期限を超えた場合、連絡先記録から前記電話番号を自動的に削除するので、ユーザーがアドレス帳を容易に管理する目的に達成するように支援でき、ユーザーの便宜を図ることができる。
【００４１】
本発明の実施例において、端末は、アドレス帳機能を有する、例えば、スマートフォン、タブレットＰＣ、ＰＤＡ（Ｐｅｒｓｏｎａｌ Ｄｉｇｉｔａｌ Ａｓｓｉｓｔａｎｔ）、電子ブックリーダー、マルチメディアプレーヤーなどのスマート端末であってもよい。スマート端末は、通常、アドレス帳アプリ（Ａpp）がインストールされており、アドレス帳中の連絡先記録には、１つ以上の連絡先及び連絡先に関連するユーザー情報が記憶されており、前記ユーザー情報は、通常、少なくともユーザー名称、１つ以上の電話番号（スマート端末が複数のＳＩＭカード機能を提供可能な場合、又は仮想ＳＩＭカード機能を提供可能な場合、ユーザー情報は複数の電話番号を含む。）を含み、ユーザー情報はＦＡＸ番号、インスタントメッセージングアカウント（例えば、Ｍｉｌｉａｏアカウント、ＱＱアカウント、又はウィーチャットアカウントなど）、メールアドレス、個人ホームページ、会社住所、自宅住所、誕生日などの他の情報をさらに含む。
【００４２】
端末（着呼端）が他の端末（発呼端）の着呼（Ｉｎｃｏｍｉｎｇ Ｃａｌｌ）要求を受信すると、着呼端は、着呼呼の要求によって、前記着呼する電話番号を取得することができる。前記着呼する電話番号が前記連絡先記録に記憶されている場合、前記着呼される電話番号に対応する目標連絡先を確定することができ、着呼端は、着呼表示インターフェイスに、前記目標連絡先のユーザー名を表示して、ユーザーが発呼端の発信者の身分を知ることができる。
【００４３】
通常、端末ユーザーは、前記連絡先記録に対して、例えば、連絡先及び連絡先に対応するユーザー情報を増加したり、ユーザー情報を変更したり、また、連絡先を削除するなどの管理を行う必要がある。本発明が提供した実施例は、連絡先記録に記憶された使用期限を有するいずれの電話番号の自動管理に応用することができる。よく見られる応用場面は、例えば、連絡先記録に記憶された仮想ＳＩＭカードの臨時電話番号の自動管理に応用されることである。
【００４４】
ユーザー（発呼ユーザー）は、事業者が提供した仮想ＳＩＭカードサービスを購入すると、事業者が提供する臨時携帯電話番号を取得することができる。仮想ＳＩＭカードは、伝統的物理ＳＩＭカード中のファイルパラメータを端末に直接記憶させる技術である。仮想ＳＩＭカードは、実体のＳＩＭカードが必要なく、スマート端末自体の処理機能で本当のＳＩＭカードの機能を実現し、ただスマート端末の一つのプログラム機能モジュールであることができ、スマート端末の資源を利用して、ＳＩＭカードの機能を実現する。本実施例のスマート端末は、仮想ＳＩＭカード管理機能を有するスマート端末であってもよい。
【００４５】
仮想ＳＩＭカードサービスが提供する電話番号は、通常、一定の使用期限が設定されている。前記使用期限は、ユーザーの実際の選択によって、例えば、一週間、一ヶ月、又は５ヶ月などそれぞれ異なる。ユーザーのスマート端末中のアドレス帳に前記臨時電話番号が記憶されている場合、前記臨時電話番号が使用期限に達すると効力を喪失するため、ユーザーの管理に不便を与える。
【００４６】
次に、図１を照会しながら、本発明の実施例が提供した連絡先記録処理方法の処理過程について説明する。図１は、一例示的な実施例に係る連絡先記録処理方法を示すフローチャートである。前記方法は、前記端末に応用可能であり、以下のようなステップを含んでもよい。
【００４７】
ステップ１０１：連絡先記録に記憶された電話番号の使用時間が前記電話番号の使用期限を超えたかを検出する。
【００４８】
本発明が提供した実施例では、前記電話番号は、よく見られる固定電話番号、モバイル事業者が提供した電話番号、モバイル事業者のコルネットクラスタネットワークサービス（Ｃｏｒｎｅｔ ｃｌｕｓｔｅｒ ｎｅｔｗｏｒｋ ｓｅｒｖｉｃｅｓ）が提供したコルネット（Ｃｏｒｎｅｔ ）、又は仮想事業者が提供した仮想臨時番号等であってもよい。
【００４９】
端末は、連絡先記録に記憶された電話番号の使用時間及び前記電話番号の使用期限によって両者を比較して、使用時間が使用期限を超えたかを判断し、前記使用期限を超えた場合、前記電話番号が既に効力を喪失したことを表示するため、連絡先記録から前記電話番号を削除する。ここで、端末は様々な方式を介して電話番号の使用期限を確定することができる。電話番号を記憶するとき、前記電話番号の所有者（即ち、上述した仮想ＳＩＭカードサービスを購入した発呼ユーザー）から取得することができる。例えば、前記電話番号の所有者に問い合せ、また電話番号を記憶するとき、前記使用期限をスマート端末に入力して記録し、スマート端末は前記使用期限によって電話番号が効力を喪失したかを判断する。その他の選択可能な実現方式において、前記仮想ＳＩＭカードサービスを提供する事業者から使用期限を取得することもできる。
【００５０】
通常、使用期限は前記電話番号の購入日から一週、一ヵ月、又は５ヶ月などの異なる時間であってもよい。端末は、電話番号の使用時間が使用期限を超えるかを検出するときに、電話番号の現在の使用時間と前記使用期限を比較し、前記使用時間が前記使用期限を超えると、前記電話番号が効力を喪失したことを確定する。例えば、端末が記録したある電話番号の使用期限が５月１日から７月３１日までの３ヶ月である場合、８月１日に検出すると、８月１日が使用期限である７月３１日を超えているので、前記電話番号が効力を喪失したと確定して前記電話番号を削除する。
【００５１】
前記使用期限の検出を行うとき、端末はリアルタイム検出を行ってもよく、例えば、毎日のお昼１２時に検出する定時検出を行ってもよい。
【００５２】
実際の応用において、電話番号の使用期限が変化する。例えば、前記電話番号を購入したユーザーは、使用期限がまもなく近づくとき、費用を支払って、前記電話番号の使用期限を延長して、新しい使用期限を得ることができる。従って、選択可能な実現方式において、前記方法は、
プリセット周期によって、前記使用期限を取得するステップをさらに含んでもよい。
【００５３】
前記プリセット周期は５日、１０日又は３０日などであってもよい。当業者は実際の需要に応じて融通性よく設定することができる。本実施例は、これに対して限定しない。
【００５４】
本実施例では、プリセット周期によって前記使用期限を取得するので、使用期限に変化があるとき、適時にアップデートして、電話番号が使用期限に到達したかの判断がより正確になる。
【００５５】
ここで、前記プリセット周期によって前記使用期限を取得するステップは、
プリセット周期によって前記電話番号をサービス端にアップロードするステップと、
前記サービス端が送信する前記電話番号によって照会される使用期限を受信するステップと、を含んでもよい。
【００５６】
本実施例では、サービス端から前記使用期限を取得することができる。前記サービス端は、１つのサーバー、又は複数のサーバーからなるサーバーグループ、又は１つのクラウドコンピューティングサービスセンターであってもよい。前記サービス端は、前記仮想ＳＩＭカードサービスを提供するサービス端であってもよい。前記仮想ＳＩＭカードサービスを提供するサービス端は、スマート端末に関連するサービス端であってもよい。例えば、ユーザーがシャオミ携帯電話を使う場合、サービス端はシャオミサービス端であり、前記シャオミサービス端は、さらに仮想ＳＩＭカードサービスを提供し、ユーザーは、設定されたユーザーアカウントを介してシャオミサービス端にログインすることができる。前記ユーザーアカウントは、シャオミアカウントであってもよく、また、シャオミアカウントにバイディングされた他のアカウントであってもよい。例えば、バイドゥ（ＢＡＩＤＵ）アカウント、又はＱＱアカウントなどのシャオミサーバーにログイン可能な他のユーザーアカウントであってもよい。
【００５７】
ユーザーがサービス端から仮想ＳＩＭカードサービスを購入すると、サービス端にユーザーに提供した電話番号の使用期限が記録されるので、サービス端は前記使用期限を、前記電話番号を記憶する必要がある他のユーザーに提供することができる。従って、使用期限を取得する必要があるとき、端末は電話番号をサービス端にアップロードして、サービス端が前記電話番号によって照会した使用期限を受信することができる。本実施例では、サービス端から使用期限を取得する方式が容易に実現でき、前記方式はさらに知能的であり、ユーザーの操作ステップを減らし、ユーザーの便宜を図ることができる。
【００５８】
ステップ１０２：前記使用時間が前記使用期限を超えると、前記連絡先記録から前記電話番号を削除する。
【００５９】
前記ステップ１０１で確定された電話番号の使用時間が使用期限を超える場合、前記電話番号が既に効力を喪失したと確定するため、連絡先記録から前記電話番号を削除する。
【００６０】
上述した実施例から分かるように、本発明は、連絡先記録に記憶された電話番号の使用期限を確定するとともに、前記電話番号の使用時間が使用期限に達したかを検出し、使用期限を超える場合、連絡先記録から前記電話番号を自動的に削除する。本発明は、使用期限に到達すると、連絡先記録から前記使用期限を有する電話番号を自動的に削除するので、ユーザーがアドレス帳を容易に管理する目的に達成するように支援でき、ユーザーの便宜を図ることができる。
【００６１】
図２Ａに示すように、図２Ａは、一例示的な実施例に係る他の連絡先記録処理方法を示すフローチャートである。前記方法は端末に応用可能であり、前記方法は、図１に示された実施例に加え、電話番号を連絡先記録に自動的に追加する過程を説明し、以下のようなステップを含んでもよい。
【００６２】
ステップ２０１：発呼端の着呼要求が受信されると、前記着呼要求によって着呼する電話番号を取得する。
【００６３】
電話の呼び出しは、発呼及び着呼に分ける。発呼は電話をかけて呼び出すことであり、着呼は電話がかかってくることである。通俗的に言うと、発信は「電話をかける」側を指し、着呼は「電話を受ける」側を指す。電話をかけて呼び出す方が発呼端であり、電話が掛かって来られる方が着呼端である。本発明の実施例では、着呼端及び発呼端は、いずれの通話機能を有するスマート端末であってもよい。本発明の実施例に係る方法は、前記着呼端に応用可能である。発呼端が着呼端に着呼要求を送信し、前記着呼要求は、通常着呼する電話番号を携帯する。前記着呼する電話番号は、よく見られる固定電話番号、携帯電話事業者が提供する電話番号、携帯電話事業者のコルネットクラスタネットワークサービスが提供するコルネット、又は仮想事業者が提供する仮想臨時番号等であってもよい。
【００６４】
ステップ２０２：前記連絡先記録に前記電話番号が記憶されていない場合、サービス端が送信する前記発呼端の発呼ユーザー情報を取得する。
【００６５】
発呼ユーザーが仮想ＳＩＭサービスを購入すると、発呼ユーザーが臨時電話番号を利用して着呼ユーザーを呼び出す。着呼ユーザーのスマート端末が着呼要求を受信すると、前記着呼要求に対応するのが発呼ユーザーの臨時電話番号である。着呼ユーザーのスマート端末に発呼ユーザーの連絡先記録が記憶されているが、発呼ユーザーに対応するユーザー情報に前記臨時電話番号が含まれていないため、着呼端は前記着呼される臨時電話番号に対応する発呼ユーザーを識別することができない。この場合、サービス端が発呼端に送信する発呼ユーザー情報を取得することができる。
【００６６】
ここで、前記サービス端は、少なくとも一つ以上のユーザーのユーザー情報を記録可能である。例えば、スマート端末は、関連するサービス端にログインした後、自体の１つ以上のユーザー情報をサービス端にアップロードすることができる。前記ユーザー情報は、ユーザー名称、１つ以上の電話番号（スマート端末が複数のＳＩＭカード機能を提供可能な場合、又は仮想ＳＭＩカードの機能を提供可能な場合、ユーザー情報は、複数の電話番号を含む）、ファックス番号、インスタントメッセージングアカウント（例えば、シャオミアカウント、ＱＱアカウント、又はウィーチャットアカウントなど）、メールアドレス、個人ホームページ、会社住所、自宅住所、誕生日などのユーザー情報を含んでもよいが、これに限定しない。ここで、ユーザーの身分を唯一的に区別して識別成功率を向上させるために、本発明の実施例では、サービス端が着呼端に返還する発呼ユーザー情報は、電話番号、インスタントメッセージングアカウント、メールアドレス、又は個人ホームページなどの情報であってもよい。
【００６７】
ステップ２０３：前記連絡先記録に前記発呼ユーザー情報に対応する目標連絡先が記録されているかを照会する。
【００６８】
ここで、前記連絡先記録には、１つ以上の連絡先及び前記連絡先に対応するユーザー情報が記録されている。連絡先記録に少なくとも一つの連絡先及びそれに対応するユーザー情報が記録されているので、サービス端から発呼ユーザー情報を取得するとき、連絡先記録から発呼ユーザー情報に対応する連絡先、即ち、目標連絡先、また即ち、前記発呼ユーザーを照会することができる。
【００６９】
ステップ２０４：前記目標連絡先が記録されていることが照会されると、前記電話番号を前記連絡先記録中の前記目標連絡先に対応するユーザー情報に追加する。
【００７０】
本発明が提供した実施例では、着呼端は発呼端の着呼要求を受信する。着呼端の連絡先記録に前記電話番号が記憶されていない場合、サービス端が照会した発呼端の発呼ユーザー情報を取得することができ、前記発呼ユーザー情報によって連絡先記録中の対応する目標連絡先を確定することができる。前記目標連絡先がちょうど呼び出す発呼ユーザーである。従って、本実施例では、電話番号を目標連絡先に対応するユーザー情報に追加することができる。本発明の実施例は、サービス端を介して発呼ユーザーに関連するより多くのユーザー情報を取得して、発呼ユーザーを識別し、電話番号を自動的に記憶することによって、ユーザーの便宜を図ることができる。
【００７１】
一つの選択可能な実現方式において、前記サービス端が送信する前記発呼端の発呼ユーザー情報を取得するステップは、
前記着呼する電話番号を前記サービス端に送信するステップと、
前記サービス端が送信する前記着呼する電話番号によって照会される発呼ユーザー情報を受信するステップと、を含む。
【００７２】
前記着呼する電話番号は、発呼端に対応する電話番号をである。サービス端は複数のユーザーに対応するユーザー情報を記録しているので、着呼端は前記着呼する電話番号をサービス端に送信して、サービス端が前記着呼する電話番号によって発呼端のユーザー情報を照会する。前記方式は容易に実現され、正確率が高い。
【００７３】
続いて、図２Ｂに図示された他の連絡先記録処理方法を示すフローチャートを参照しながら詳細に説明する。発呼端は１つの物理ＳＩＭカードが挿入され、それは一つの常用電話番号に対応する。着呼端の連絡先記録に発呼ユーザー及び前記常用電話番号が記録される。発呼端は、さらに仮想ＳＩＭカード機能を有し、それは１つの臨時電話番号に対応する。発呼端は、仮想ＳＩＭカードに対応する臨時電話番号を利用して、着呼端に呼び出すことができ、着呼端は発呼端の着呼要求を受信する。着呼端は、前記仮想ＳＩＭカードの臨時電話番号が記録されていないため、前記着呼する電話番号をインターネットを介してシャオミサーバーにアップロードすることができる。
【００７４】
シャオミサーバーは、アップロードされた着呼電話番号（即ち、上述した仮想ＳＩＭカードの臨時番号）を受信する。サービス端には、ユーザー情報と電話番号の対応関係が記録されているので、サービス端は、対応する発呼端のユーザー情報を照会することができる。同時に、サーバーは着呼する電話番号に対応する使用期限を照会することもできる。
【００７５】
この時、照会される発呼端のユーザー情報は、発呼ユーザーのユーザーアカウント、ユーザー名称、電話番号、又はメールアドレスなどの一つ以上の情報である。
【００７６】
シャオミサーバーは、着呼端に前述した１つ以上のユーザー情報を返還することができる。識別成功率を向上させるために、本実施例のサービス端が着呼端に返還するユーザー情報は、前述した発呼ユーザーの常用電話番号を含むユーザーの全部電話番号であってもよい。同時に、シャオミサーバーはさらに臨時電話番号の使用期限を返還することもできる。
【００７７】
着呼端は、返還される発呼ユーザーの全部電話番号によって、アドレス帳中の連絡先リストにマッチングされるように記憶された連絡先を介して、対応する目標連絡先（発呼ユーザー）を取得することができる。
【００７８】
着呼端は、目標連絡先をマッチングした後、前記臨時電話番号を連絡先記録中の目標連絡先のユーザー情報に追加して、着呼表示インターフェイスに発呼ユーザーのユーザー名称を表示して、着呼ユーザーが発呼ユーザーの身元を知ることができるようにする。同時に、着呼端は、サービス端から前記電話番号の使用期限を取得することができ、使用期限に到達することを検出すると、連絡先記録から前記電話番号を削除する。
【００７９】
図３に示すように、図３は、一例示的な実施例に係る他の連絡先記録処理方法を示すフローチャートである。前記方法は、サービス端に応用可能であり、以下のようなステップを含んでもよい。
【００８０】
ステップ３０１：端末の連絡先記録に記憶された電話番号の使用期限を照会する。
【００８１】
ステップ３０２：前記使用期限を端末に送信して、端末が前記電話番号の使用時間が前記使用期限を超えたことを検出すると、前記連絡先記録から前記電話番号を削除する。
【００８２】
本発明の実施例では、サーバーは、１つのサーバー、又は複数のサーバーからなるサーバーグループ、又は１つのクラウドコンピューティングサーバーセンターであってもよい。前記サーバーは、スマート端末に関連するサービス端であってもよい。例えば、ユーザーがシャオミ携帯電話を使用すると、サービス端はシャオミサービス端であり、ユーザーがアップル携帯電話を使用すると、サービス端はアップルサービス端である。サービス端がシャオミサーバーである場合、ユーザーは設定されたユーザーアカウントを介してシャオミサーバーにログインすることができる。前記ユーザーアカウントは、シャオミアカウントであってもよく、シャオミアカウントにバイディングされた他のアカウントであってもよい。例えば、バイドゥアカウント、又はＱＱアカウントなどのシャオミサーバーにログイン可能な他のユーザーアカウントであってもよい。
【００８３】
ユーザーがサービス端から仮想ＳＩＭカードサービスを購入すると、サービス端には、ユーザーに提供した臨時電話番号の使用期限が記録される。サービス端は、前記使用期限を前記電話番号を記憶する必要がある他のユーザーに提供して、前記他のユーザーのスマート端末が前記電話番号の使用時間が使用期限を超えたことを検出すると、連絡先記録から前記電話番号を削除する。
【００８４】
上述した実施例から分かるように、本発明の実施例のサービス端は、電話番号に対応する使用期限を照会するとともに、端末に提供して、端末が前記電話番号の使用時間が使用期限を超えたことを検出すると、前記連絡先記録から前記電話番号を削除する。これによって、ユーザーがアドレス帳を容易に管理する目的に達成するように支援でき、ユーザーの便宜を図ることができる。
【００８５】
一つの選択可能な実現方式において、端末の連絡先記録に記憶された電話番号の使用期限を照会するステップは、
前記端末がアップロードした電話番号を受信するステップと、
プリセット関係リストから前記電話番号に対応する使用期限を照会するステップと、を含み、
前記プリセット関係リストには、電話番号と使用期限の対応関係が記録される。
【００８６】
本発明が提供した実施例では、サービス端は第１のプリセット関係リストを確立して、電話番号と使用期限の対応関係を記録する。端末が使用期限を取得する必要があるとき、端末が送信した電話番号によって、プリセット関係リストから対応する使用期限を照会するとともに、端末にフィードバックする。前記方式は容易に実現され、使用期限が容易に照会され、正確率が高い。
【００８７】
一つの選択可能な実現方式において、前記方法は、
前記端末に着呼要求を送信する発呼端の発呼ユーザー情報を照会するステップをさらに含む。
【００８８】
前記発呼ユーザー情報を前記端末に送信して、前記端末が前記電話番号を連絡先記録中の前記発呼ユーザー情報に対応する目標連絡先のユーザー情報に追加する。
【００８９】
本発明の実施例では、スマート端末は、関連するサービス端にログインした後、自体の複数のユーザー情報をサービス端にアップロードする。前記ユーザー情報は、ユーザー名称、１つ以上の電話番号（スマート端末が複数のＳＩＭカード機能を提供可能な場合、又は仮想SMIカード機能を提供可能な場合、ユーザー情報は複数の電話番号を含む）、ファックス番号、インスタントメッセージングアカウント（例えば、シャオミアカウント、ＱＱアカウント、又はウィーチャットアカウントなど）、メールアドレス、個人ホームページ、会社住所、自宅住所、誕生日などのユーザー情報を含んでもよいが、これに限定しない。ここで、ユーザーの身分を唯一的に区別して識別成功率を向上させるために、本発明の実施例では、サービス端が着呼端に返還する発呼ユーザー情報は、電話番号、インスタントメッセージングアカウント、メールアドレス、又は個人ホームページなどの情報であってもよい。
【００９０】
サービス端は前記発呼ユーザー情報を端末にフィードバックして、端末が前記電話番号を連絡先記録中の前記発呼ユーザー情報に対応する目標連絡先のユーザー情報に追加して、端末が発呼端に臨時電話番号を利用して呼び出すとき、臨時電話番号を連絡先記録に自動的に追加する。
【００９１】
一つの選択可能な実現方式において、前記端末に着呼要求を送信する発呼端の発呼ユーザー情報を照会するステップは、
前記端末が前記着呼要求を受信したときにアップロードした着呼する電話番号を受信するステップと、
第２のプリセット関係リストから前記着呼する電話番号に対応する発呼ユーザー情報を照会するステップと、を含み、
前記第２のプリセット関係リストには、ユーザー情報と電話番号の対応関係が記録されている。
【００９２】
本発明の実施例では、ユーザー情報が電話番号、ユーザー名称、及びユーザーアカウントなどの複数の情報を含むので、サービス端はそれぞれのスマート端末に対応するユーザー情報と電話番号などの間の対応関係を記録することができる。実際の応用において、サービス端は、第２のプリセット関係リストを確立して前記ユーザー情報の対応関係を記録する。
【００９３】
例えば、下記の表１は、サービス端の第２のプリセット関係リストに記録した一部ユーザー情報を示す。
【表１】
2017534226.tif 000003
【００９４】
表１から分かるように、当該表には、３人ユーザーのユーザー情報が記録されている。記録されたユーザー情報は、シャオミアカウント、スマート端末（スマート端末は、唯一識別子としてＭＡＣアドレスを使用する）、ユーザー名称、電話番号１、電話番号２、シャオミアカウント及びメールアドレスを含む。サービス端は、当該表により各ユーザーのユーザー情報の対応関係を記録した。
【００９５】
なお、前記第１のプリセットの関係リスト及び第２のプリセット関係リストは、前述した２つの対応関係、即ち電話番号と使用期限の対応関係、ユーザー情報と電話番号の対応関係を区別するためである。実際の応用において、ユーザー情報が電話番号を含むので、サービス端は、データ表のみを確立して、前述した２つの対応関係を記録してもよい。
【００９６】
本発明が提供した実施例では、サービス端は第２のプリセット関係リストを確立して電話番号とユーザー情報の対応関係を記録する。端末が発呼ユーザー情報を取得する必要があるとき、端末が送信する着呼電話番号によって、第２のプリセット関係リストから対応する発呼ユーザー情報を照会するとともに端末にフィードバックする。前記方式は容易に実現され、発呼ユーザー情報を容易に照会し、正確率が高い。
【００９７】
図４に示すように、図４は、本発明の一例示的な実施例に係る連絡先記録処理装置を示すブロック図である。前記装置は、検出モジュール４１０及び削除モジュール４２０を備える。
【００９８】
ここで、検出モジュール４１０は、連絡先記録に記憶される電話番号の使用時間が前記電話番号の使用期限を超えたかを検出するように構成される。
【００９９】
削除モジュール４２０は、前記検出モジュール４１０が検出した前記使用時間が前記使用期限を超えると、前記連絡先記録から前記電話番号を削除するように構成される。
【０１００】
上述した実施例から分かるように、連絡先記録に記憶された電話番号の使用期限を確定するとともに、前記電話番号の使用時間が使用期限を超えたかを検出し、使用期限を超えた場合、連絡先記録から前記電話番号を自動的に削除する。本発明は、使用期限に到達すると、連絡先記録から前記使用期限を有する電話番号を自動的に削除して、ユーザーがアドレス帳を容易に管理する目的に達成するように支援できるので、ユーザーの便宜を図ることができる。
【０１０１】
図５に示すように、図５は、本発明の一例示的な実施例に係る他の連絡先記録処理装置を示すブロック図である。前記実施例は、前述した図４に示された実施例に加え、前記装置は、期限取得モジュール４３０をさらに備える。
【０１０２】
ここで、期限取得モジュール４３０は、プリセット周期によって前記使用期限を取得するように構成される。
【０１０３】
上述した実施例から分かるように、プリセット周期によって前記使用期限を取得することができるので、使用期限に変化があったときアップデートして、電話番号の使用期限に達したか否かの判断がより正確になる。
【０１０４】
図６に示すように、図６は、本発明の一例示的な実施例に係る他の連絡先記録処理装置を示すブロック図である。前記実施例は、前述した図４に示された実施例に加え、前記期限取得モジュール４３０は、番号アップロードサブモジュール４３１及び期限受信サブモジュール４３２を備える。
【０１０５】
ここで、番号アップロードサブモジュール４３２は、プリセット周期によって前記電話番号をサービス端にアップロードするように構成される。
【０１０６】
期限受信サブモジュール４３２は、前記サービス端が送信する前記番号アップロードサブモジュール４３１がアップロードした電話番号によって照会される使用期限を受信するように構成される。
【０１０７】
上述した実施例から分かるように、サービス端から使用期限を取得する方式が容易に実現でき、前記方式はさらに知能的であり、ユーザーの操作ステップを減らし、ユーザーの便宜を図ることができる。
【０１０８】
図７に示すように、図７は、本発明の一例示的な実施例に係る他の連絡先記録処理装置を示すブロック図である。前記実施例は、図４に示された実施例に加え、前記装置は、番号取得モジュール４４０、情報取得モジュール４５０、連絡先照会モジュール４６０、及び追加モジュール４７０をさらに備える。
【０１０９】
ここで、番号取得モジュール４４０は、発呼端の着呼（Ｉｎｃｏｍｉｎｇ Ｃａｌｌ）要求を受信すると、前記着呼要求によって着呼する電話番号を取得するように構成される。
【０１１０】
情報取得モジュール４５０は、前記連絡先記録に前記番号取得モジュール４４０が取得した前記電話番号が記憶されていない場合、サービス端が送信する前記発呼端の発呼ユーザー情報を取得するように構成される。
【０１１１】
連絡先照会モジュール４６０は、前記連絡先記録に前記情報取得モジュール４５０が取得した前記発呼ユーザー情報に対応する目標連絡先が記録されているかを照会するように構成され、前記連絡先記録には、１つ以上の連絡先及び前記連絡先に対応するユーザー情報が記録されている。
【０１１２】
追加モジュール４７０は、前記連絡先照会モジュール４６０が、前記目標連絡先が記録されていることを照会すると、前記電話番号を前記目標連絡先に対応するユーザー情報に追加するように構成される。
【０１１３】
上述した実施例から分かるように、本発明は、着呼端が発呼端の着呼要求を受信可能であり、着呼端の連絡先記録に前記電話番号が記憶されていない場合、サービス端が照会した発呼端の発呼ユーザー情報を取得するとともに、前記発呼ユーザー情報によって連絡先記録中の対応する目標連絡先を確定することができる。したがって、本発明は、電話番号を目標連絡先に対応するユーザー情報に自動的に追加することができる。本発明は、サービス端を介して発呼ユーザーに関連するより多くのユーザー情報を取得して、さらに発呼ユーザーを識別し、電話番号を自動的に記憶してユーザーの便宜を図ることができる。
【０１１４】
図８に示すように、図８は、本発明の一例示的な実施例に係る他の連絡先記録処理装置を示すブロック図である。前記実施例は、前述した図４に示された実施例に加え、前記情報取得モジュール４５０は、送信サブモジュール４５１及び情報受信サブモジュール４５２を備える。
【０１１５】
ここで、送信サブモジュール４５１は、前記着呼する電話番号を前記サービス端に送信するように構成される。
【０１１６】
情報受信サブモジュール４５２は、前記サービス端が送信する、前記送信サブモジュールが送信する前記着呼する電話番号によって照会される発呼ユーザー情報を受信するように構成される。
【０１１７】
上述した実施例から分かるように、サービス端は複数個のユーザーに対応するユーザー情報を記録しているので、前記着呼する電話番号をサービス端に送信して、サービス端が前記着呼される電話番号によって発呼端のユーザー情報を照会できようにする。前記方式は容易に実現されるとともに、正確率が高い。
【０１１８】
図９に示すように、図９は、一例示的な実施例に係る他の連絡先記録処理装置を示すブロック図である。前記装置は、期限照会モジュール９１０及び期限送信モジュール９２０を備える。
【０１１９】
ここで、期限照会モジュール９１０は、端末の連絡先記録に記憶された電話番号の使用期限を照会するように構成される。
【０１２０】
期限送信モジュール９２０は、前記期限照会モジュール９１０が照会した前記使用期限を端末に送信して、端末が前記電話番号の使用時間が前記使用期限を超えることを検出すると、前記連絡先記録から前記電話番号を削除するように構成される。
【０１２１】
上述した実施例から分かるように、サービス端は電話番号に対応する使用期限を照会するとともに、端末に提供して、端末が前記電話番号の使用時間が使用期限を超過したことを検出すると、連絡先記録から前記電話番号を削除にして、ユーザーがアドレス帳を容易に管理する目的に達成するように支援できるので、ユーザーの便宜を図ることができる。
【０１２２】
図１０に示すように、図１０は、本発明の一例示的な実施例に係る他の連絡先記録処理装置を示すブロック図である。前記実施例は、図９に示された実施例に加え、前記期限照会モジュール９１０は、番号受信サブモジュール９１１及び期限照会サブモジュール９１２を備える。
【０１２３】
番号受信サブモジュール９１１は、前記端末がアップロードした電話番号を受信するように構成される。
【０１２４】
期限照会サブモジュール９１２は、第１のプリセット関係リストから前記番号受信サブモジュール９１１が受信した前記電話番号に対応する使用期限を照会するように構成され、前記第１のプリセット関係リストには、電話番号と使用期限の対応関係が記録されている。
【０１２５】
上述した実施例から分かるように、サービス端は第１のプリセット関係リストを確立して、電話番号と使用期限の対応関係を記録する。端末が使用期限を取得する必要があるとき、端末が送信した電話番号によって、第１のプリセットの関係リストから対応する使用期限を照会するとともに、端末にフィードバックする。前記方式は容易に実現され、使用期限を容易に照会し、正確率が高い。
【０１２６】
図１１に示すように、図１１は、本発明の一例示的な実施例に係る他の連絡先記録処理装置を示すブロック図である。前記実施例は、図９に示された実施例に加え、前記装置は、情報照会モジュール９３０及び情報送信モジュール９４０をさらに備える。
【０１２７】
ここで、情報照会モジュール９３０は、前記端末に着呼要求を送信する発呼端の発呼ユーザー情報を照会するように構成される。
【０１２８】
情報送信モジュール９４０は、前記情報照会モジュール９３０が照会した前記発呼ユーザー情報を前記端末に送信して、前記端末が前記電話番号を連絡先記録中の前記発呼ユーザー情報に対応する目標連絡先のユーザー情報に追加するように構成される。
【０１２９】
上述した実施例から分かるように、サービス端は前記発呼ユーザー情報を端末にフィードバックして、端末が前記電話番号を連絡先記録中の前記発呼ユーザー情報に対応する目標連絡先のユーザー情報に追加して、端末が発呼端が臨時電話番号を利用して発呼した着呼を受信するとき、臨時電話番号を連絡先記録に自動的に追加する。
【０１３０】
図１２に示すように、図１２は、本発明の一例示的な実施例に係る他の連絡先記録処理装置を示すブロック図である。前記実施例は、図９に示された実施例に加え、前記情報照会モジュール９３０は、番号受信サブモジュール９３１及び照会サブモジュール９３２を備える。
【０１３１】
ここで、番号受信サブモジュール９３１は、前記端末が前記着呼要求を受信したときにアップロードした着呼する電話番号を受信するように構成される。
【０１３２】
情報検索サブモジュール９３２は、第２のプリセット関係リストから前記番号受信モジュール９３１が受信した前記電話番号に対応する発呼ユーザー情報を照会するように構成され、前記第２のプリセット関係リストには、ユーザー情報と電話番号の対応関係が記録されている。
【０１３３】
上述した実施例から分かるように、サービス端は第２のプリセット関係リストを確立して電話番号とユーザー情報の対応関係を記録する。端末が発呼ユーザー情報を取得する必要があるとき、端末が送信した着呼電話番号によって第２のプリセット関係リストから対応する発呼ユーザー情報を照会するとともに端末にフィードバックする。前記方式は容易に実現され、発呼ユーザー情報を容易に照会し、正確率が高い。
【０１３４】
相応的に、本発明は、連絡先記録処理装置をさらに提供し、前記装置は、プロセッサーと、前記プロセッサーによって実行可能な命令を記憶するメモリと、を備え、前記プロセッサーは、
連絡先記録に記憶された電話番号の使用時間が前記電話番号の使用期限を超えたかを検出し、
前記使用時間が前記使用期限を超えると、前記連絡先記録から前記電話番号を削除するように構成される。
【０１３５】
相応的に、本発明は、他の連絡先記録処理装置をさらに提供し、前記装置は、プロセッサーと、前記プロセッサーによって実行可能な命令を記憶するメモリと、を備え、前記プロセッサーは、
端末の連絡先記録に記憶された電話番号の使用期限を照会し、
前記使用期限を端末に送信して、端末が前記電話番号の使用時間が前記使用期限を超えることを検出すると、前記連絡先記録から前記電話番号を削除するように構成される。
【０１３６】
前記装置中のそれぞれのユニットの機能及び作用の実現過程は、具体的に、前記方法の対応するステップの実現過程を照会すればいいので、ここで説明を省略する。
【０１３７】
装置の実施例は、基本的に方法の実施例に対応するため、関連する部分は、方法の実施例の部分の説明を照会すればいい。上述した装置の実施例は、単に例示的なものである。特に、前記分離部品として説明したユニットは、物理的に分離されたものであってもよく、又は分離されていないものであってもよい。ユニットとして表示される部品は、物理ユニットであってもよく、物理ユニットではなくてもよい。即ち、一箇所に位置してもよく、又は複数のネットワークユニットに分布されてもよい。実際の需要に応じて、その中の一部モジュール又は全部モジュールを選択して、本発明の技術的案の目的を達成することができる。当業者は、創造的な労働をしない前提で、理解して実施することができる。
【０１３８】
図１３に示すように、図１３は、本発明の一例示的な実施例に係る、図４に図示された連絡先記録処理装置１３００に応用されるブロック図である。例えば、装置１３００は、ルート機能を備えた携帯電話、コンピュータ、デジタルブロードキャスト端末、メッセージ送受信機、ゲーム機、タブレットデバイス、医療機器、フィットネス機器、ＰＤＡ等のものであってもよい。
【０１３９】
図１３を照会すると、装置１３００は、処理ユニット１３０２、メモリ１３０４、電源ユニット１３０６、マルチメディアユニット１３０８、オーディオユニット１３１０、入力/出力（Ｉ/Ｏ）インターフェース１３１２、センサーユニット１３１４、及び通信ユニット１３１６からなる群から選ばれる少なくとも１つを有してもよい。
【０１４０】
処理ユニット１３０２は、一般的には、装置１３００の全体の操作、例えば、表示、電話呼び出し、データ通信、カメラ操作及び記録操作に関連する操作を制御する。処理ユニット１３０２は、上述した方法におけるステップの一部又は全部を実現できるように、命令を実行する少なくとも１つのプロセッサー１３２０を有してもよい。また、処理ユニット１３０２は、他のユニットとのインタラクションの便宜を図るように、少なくとも１つのモジュールを有してもよい。例えば、処理ユニット１３０２は、マルチメディアユニット１３０８とのインタラクションの便宜を図るように、マルチメディアモジュールを有してもよい。
【０１４１】
メモリ１３０４は、装置１３００での操作をサポートするように、各種のデータを記憶するように配置される。これらのデータは、例えば、装置１３００で何れのアプリケーション又は方法を操作するための命令、連絡先データ、電話帳データ、メッセージ、画像、ビデオ等を含む。メモリ１３０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０１４２】
電源ユニット１３０６は、装置１３００の各種ユニットに電力を供給するためのものであり、電源管理システム、１つ又は複数の電源、及び装置１３００のために電力を生成、管理及び分配することに関連する他のユニットを有してもよい。
【０１４３】
マルチメディアユニット１３０８は、装置１３００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１３０８は、フロントカメラ及び/又はバックカメラを有してもよい。装置１３００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１４４】
オーディオユニット１３１０は、オーディオ信号を出力及び/又は入力するように配置される。例えば、オーディオユニット１３１０は、マイクロフォン（ＭｉＣ）を有してもよい。装置１３００が、例えば、呼び出しモード、記録モード、又は音声認識モードのような操作モードにあるとき、マイクロフォンは、外部のオーディオ信号を受信するように配置される。受信したオーディオ信号は、メモリ１３０４にさらに記憶されてもよいし、通信ユニット１３１６を介して送信されてもよい。一実施例では、オーディオユニット１３１０は、オーディオ信号を出力するためのスピーカをさらに有してもよい。
【０１４５】
Ｉ/Ｏインターフェース１３１２は、処理ユニット１３０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１４６】
センサーユニット１３１４は、装置１３００のために各方面の状態を評価する少なくとも１つのセンサーを有してもよい。例えば、センサーユニット１３１４は、装置１３００のオン/オフ状態や、ユニットの相対的な位置を検出することができる。例えば、前記ユニットは、装置１３００のディスプレイ及びキーパッドである。センサーユニット１３１４は、装置１３００又は装置１３００の１つのユニットの位置の変化、ユーザーによる装置１３００への接触の有無、装置１３００の方向又は加速/減速、装置１３００の温度変化などを検出することができる。センサーユニット１３１４は、何れの物理的な接触もない場合に付近の物体を検出するように配置される近接センサーを有してもよい。センサーユニット１３１４は、イメージングアプリケーションに用いるための光センサー、例えば、ＣＭＯＳ又はＣＣＤ画像センサーを有してもよい。一実施例では、当該センサーユニット１３１４は、加速度センサー、ジャイロスコープセンサー、磁気センサー、圧力センサー又は温度センサーをさらに有してもよい。
【０１４７】
通信ユニット１３１６は、装置１３００と他の設備の間との無線又は有線通信の便宜を図るように配置される。装置１３００は、例えば、ＷｉＦｉ、２Ｇ又は３Ｇ、又はそれらの組み合わせの通信標準に基づく無線ネットワークにアクセスできる。１つの例示的な実施例では、通信ユニット１３１６は、ブロードキャストチャンネルを介して外部のブロードキャスト管理システムからのブロードキャスト信号又はブロードキャストに関する情報を受信する。１つの例示的な実施例では、前記通信ユニット１３１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）技術及び他の技術によって実現されてもよい。
【０１４８】
例示的な実施例では、装置１３００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１４９】
例示的な実施例では、命令を有する非一時的コンピュータ読み取り可能な記録媒体、例えば、命令を有するメモリ１３０４をさらに提供する。この命令は、装置１３００のプロセッサー１３２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピーディスク及び光データメモリ等であってもよい。
【０１５０】
非一時的コンピュータ読み取り可能な記録媒体は、前記記録媒体における命令が端末のプロセッサーにより実行されると、端末が連絡先記録処理方法を実行するようにする。前記方法は、
連絡先記録に記憶される電話番号の使用時間が前記電話番号の使用期限を超えたかを検出するステップと、
前記使用時間が前記使用期限を超えると、前記連絡先記録から前記電話番号を削除するステップと、を含む。
【０１５１】
図１４は一例示的実施例に係る、図９に示す連絡先処理装置１４００に応用されるブロック図である。例えば、装置１４００はサーバーとして提供されてもよい。図１４を照会すると、装置１４００は、１つ以上のプロセッサーがさらに含まれた処理ユニット１４２２と、処理ユニット１４２２により実行可能な命令、例えばプログラムを記憶するメモリ１４３２を代表とするメモリリソースとを含む。メモリ１４３２に記憶されたアプリケーションプログラムは、１つ以上のそれぞれが一組の命令に対応するモジュールを含んでもよい。また、前記いずれか１つの実施例に提供された方法を実行するために、処理ユニット１４２２は命令を実行するように配置される。
【０１５２】
装置１４００は、装置１４００の電源管理を実行するように配置された電源ユニット１４２６と、装置１４００をインターネットに接続させるように配置された有線又は無線インターネットインターフェース１４５０と、入力/出力（Ｉ/Ｏ）インターフェース１４５８とを有してもよい。装置１４００はメモリ１４３２に記憶された操作システム、例えばＷｉｎｄｏｗｓ Ｓｅｒｖｅｒ、Ｍａｃ ＯＳ Ｘ、Ｕｎｉｘ, Ｌｉｎｕｘ、ＦｒｅｅＢＳＤなどに基づいて操作できる。
【０１５３】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、ただ例示的なものであって、本発明の本当の範囲と主旨は、以下の特許請求の範囲によって示される。
【０１５４】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【０１５５】
以上の内容は、本発明の好ましい実施例だけであって、本発明を限定しようとするものではなく、本発明の趣旨及び原則内でのいずれの修正、等同の交換、改進などのすべてが本発明の保護範囲内に含まれる。
【図１】
2017534226.tif 000004
【図２Ａ】
2017534226.tif 000005
【図２Ｂ】
2017534226.tif 000006
【図３】
2017534226.tif 000007
【図４】
2017534226.tif 000008
【図５】
2017534226.tif 000009
【図６】
2017534226.tif 000010
【図７】
2017534226.tif 000011
【図８】
2017534226.tif 000012
【図９】
2017534226.tif 000013
【図１０】
2017534226.tif 000014
【図１１】
2017534226.tif 000015
【図１２】
2017534226.tif 000016
【図１３】
2017534226.tif 000017
【図１４】
2017534226.tif 000018
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
連絡先記録に記憶される電話番号の使用時間が前記電話番号の使用期限を超えたかを検出するステップと、
前記使用時間が前記使用期限を超えると、前記連絡先記録から前記電話番号を削除するステップと、を含むことを特徴とする連絡先記録処理方法。
【請求項２】
プリセット周期によって、前記使用期限を取得するステップをさらに含むことを特徴とする請求項１に記載の連絡先記録処理方法。
【請求項３】
前記プリセット周期によって前記使用期限を取得するステップは、
プリセット周期によって前記電話番号をサービス端にアップロードするステップと、
前記サービス端が送信する前記電話番号によって照会される使用期限を受信するステップと、を含むことを特徴とする請求項２に記載の連絡先記録処理方法。
【請求項４】
発呼端の着呼（Ｉｎｃｏｍｉｎｇ Ｃａll）要求を受信すると、前記着呼要求によって着呼する電話番号を取得するステップと、
前記連絡先記録に前記電話番号が記憶されていない場合、サービス端が送信する前記発呼端の発呼ユーザー情報を取得するステップと、
前記連絡先記録に前記発呼ユーザー情報に対応する目標連絡先が記録されているかを照会するステップと、
前記目標連絡先が記録されていることが照会されると、前記電話番号を前記目標連絡先に対応するユーザー情報に追加するステップと、をさらに含み、
前記連絡先記録には、１つ以上の連絡先及び前記連絡先に対応するユーザー情報が記録されていることを特徴とする請求項１に記載の連絡先記録処理方法。
【請求項５】
前記サービス端が送信する前記発呼端の発呼ユーザー情報を取得するステップは、
前記着呼する電話番号を前記サービス端に送信するステップと、
前記サービス端が送信する前記着呼する電話番号によって照会される発呼ユーザー情報を受信するステップと、を含むことを特徴とする請求項４に記載の連絡先記録処理方法。
【請求項６】
端末の連絡先記録に記憶された電話番号の使用期限を照会するステップと、
前記使用期限を端末に送信して、端末が前記電話番号の使用時間が前記使用期限を超えることを検出すると、前記連絡先記録から前記電話番号を削除するステップと、を含むことを特徴とする連絡先記録処理方法。
【請求項７】
前記端末の連絡先記録に記憶された電話番号の使用期限を照会するステップは、
前記端末がアップロードした電話番号を受信するステップと、
第１のプリセット関係リストから前記電話番号に対応する使用期限を照会するステップと、を含み、
前記第１のプリセット関係リストには、電話番号と使用期限の対応関係が記録されていることを特徴とする請求項６に記載の連絡先記録処理方法。
【請求項８】
前記端末に着呼要求を送信する発呼端の発呼ユーザー情報を照会するステップと、
前記発呼ユーザー情報を前記端末に送信して、前記端末が前記電話番号を連絡先記録中の前記発呼ユーザー情報に対応する目標連絡先のユーザー情報に追加するステップと、をさらに含むことを特徴とする請求項６に記載の連絡先記録処理方法。
【請求項９】
前記端末に着呼要求を送信する発呼端の発呼ユーザー情報を照会するステップは、
前記端末が前記着呼要求を受信したときにアップロードした着呼する電話番号を受信するステップと、
第２のプリセット関係リストから前記着呼する電話番号に対応する発呼ユーザー情報を照会するステップと、を含み、
前記第２のプリセット関係リストには、ユーザー情報と電話番号の対応関係が記録されていることを特徴とする請求項８に記載の連絡先記録処理方法。
【請求項１０】
連絡先記録に記憶される電話番号の使用時間が前記電話番号の使用期限を超えたかを検出するように構成される検出モジュールと、
前記検出モジュールが検出した前記電話番号の使用時間が前記使用期限を超えると、前記連絡先記録から前記電話番号を削除するように構成される削除モジュールと、を備えることを特徴とする連絡先記録処理装置。
【請求項１１】
プリセット周期によって、前記使用期限を取得するように構成される期限取得モジュールをさらに備えることを特徴とする請求項１０に記載の連絡先記録処理装置。
【請求項１２】
前記期限取得モジュールは、
プリセット周期によって前記電話番号をサービス端にアップロードするように構成される番号アップロードサブモジュールと、
前記サービス端が送信する前記番号アップロードサブモジュールがアップロードした前記電話番号によって照会される使用期限を受信するように構成される期限受信サブモジュールと、を備えることを特徴とする請求項１１に記載の連絡先記録処理装置。
【請求項１３】
発呼端の着呼（Ｉｎｃｏｍｉｎｇ Ｃａｌｌ）要求を受信すると、前記着呼要求によって着呼する電話番号を取得するように構成される番号取得モジュールと、
前記連絡先記録に前記番号取得モジュールが取得した電話番号が記憶されていない場合、サービス端が送信する前記発呼端の発呼ユーザー情報を取得するように構成される情報取得モジュールと、
前記連絡先記録に前記情報取得モジュールが取得した前記発呼ユーザー情報に対応する目標連絡先が記録されているかを照会するように構成される連絡先照会モジュールと、
前記連絡先照会モジュールが前記目標連絡先が記録されていることを照会すると、前記電話番号を前記目標連絡先に対応するユーザー情報に追加するように構成される追加モジュールと、をさらに備え、
前記連絡先記録には、１つ以上の連絡先及び前記連絡先に対応するユーザー情報が記録されていることを特徴とする請求項１０に記載の連絡先記録処理装置。
【請求項１４】
前記情報取得モジュールは、
前記着呼する電話番号を前記サービス端に送信するように構成される送信サブモジュールと、
前記サービス端が送信する、前記送信サブモジュールが送信する前記着呼する電話番号によって照会される発呼ユーザー情報を受信するように構成される情報受信サブモジュールと、を備えることを特徴とする請求項１３に記載の連絡先記録処理装置。
【請求項１５】
端末の連絡先記録に記憶された電話番号の使用期限を照会するように構成される期限照会モジュールと、
前記期限照会モジュールが照会した前記使用期限を端末に送信して、端末が前記電話番号の使用時間が前記使用期限を超えることを検出すると、前記連絡先記録から前記電話番号を削除するように構成される期限送信モジュールと、を備えることを特徴とする連絡先記録処理装置。
【請求項１６】
前記期限照会モジュールは、
前記端末がアップロードした電話番号を受信するように構成される番号受信サブモジュールと、
第１のプリセット関係リストから前記番号受信サブモジュールが受信した前記電話番号に対応する使用期限を照会するように構成される期限照会サブモジュールと、を備え、
前記第１のプリセット関係リストには、電話番号と使用期限の対応関係が記録されていることを特徴とする請求項１５に記載の連絡先記録処理装置。
【請求項１７】
前記端末に着呼要求を送信する発呼端の発呼ユーザー情報を照会するように構成される情報照会モジュールと、
前記情報照会モジュールが照会した前記発呼ユーザー情報を前記端末に送信して、前記端末が前記電話番号を連絡先記録中の前記発呼ユーザー情報に対応する目標連絡先のユーザー情報に追加するように構成される情報送信モジュールと、をさらに備えることを特徴とする請求項１５に記載の連絡先記録処理装置。
【請求項１８】
前記情報照会モジュールは、
前記端末が前記着呼要求を受信したときにアップロードした着呼する電話番号を受信するように構成される番号受信サブモジュールと、
第２のプリセット関係リストから前記番号受信モジュールが受信した前記電話番号に対応する発呼ユーザー情報を照会するように構成される情報検索サブモジュールと、を備え、
前記第２のプリセット関係リストには、ユーザー情報と電話番号の対応関係が記録されていることを特徴とする請求項１７に記載の連絡先記録処理装置。
【請求項１９】
プロセッサーと、
前記プロセッサーによって実行可能な命令を記憶するメモリと、を備え、
前記プロセッサーは、
連絡先記録に記憶された電話番号の使用時間が前記電話番号の使用期限を超えたかを検出し、
前記使用時間が前記使用期限を超えると、前記連絡先記録から前記電話番号を削除するように構成されることを特徴とする連絡先記録処理装置。
【請求項２０】
プロセッサーと、
前記プロセッサーによって実行可能な命令を記憶するメモリと、を備え、
前記プロセッサーは、
端末の連絡先記録に記憶された電話番号の使用期限を照会し、
前記使用期限を端末に送信して、端末が前記電話番号の使用時間が前記使用期限を超えることを検出すると、前記連絡先記録から前記電話番号を削除するように構成されることを特徴とする連絡先記録処理装置。
【請求項２１】
プロセッサーに実行されることにより、請求項１−９のいずれか１項に記載の連絡先記録処理方法を実現する、プログラム。
【請求項２２】
請求項２１に記載のプログラムが記録されたコンピュータ読取可能な記録媒体。
【手続補正２】
【補正対象書類名】明細書
【補正対象項目名】全文
【補正方法】変更
【補正の内容】
【発明の詳細な説明】
【相互参照】
【０００１】
本願は、出願番号が２０１５１０５４９１２８．８であって、出願日が２０１５年８月３１日である中国特許出願を基礎として優先権を主張し、当該中国特許出願の内容の全体を本願に援用する。
【技術分野】
【０００２】
本発明は、通信技術分野に関し、より詳細には、連絡先記録処理方法、装置、プログラム、及び記録媒体に関する。
【背景技術】
【０００３】
モバイル通信技術の発展は、いつでもどこでも、他の人と話すことができるようにして、人々の日常生活に多くの利便性をもたらしている。現在の仮想ＳＩＭ（ＳｕｂｓｃｒｉｂｅｒＩｄｅｎｔｉｔｙ Ｍｏｄｕｌｅ、加入者識別モジュール）カードサービスがますます脚光を浴びている。ユーザーは、仮想ＳＩＭカードサービスを購入すると、一時的携帯電話の番号のいずれかを取得することができる。前記一時番号は期限に達すると、効力を喪失して、ユーザーがアドレス帳を管理する不便な点がある。
【発明の概要】
【発明が解決しようとする課題】
【０００４】
本発明は、関連技術の問題点を解決するために、連絡先記録処理方法、装置、プログラム、及び記録媒体を提供する。
【課題を解決するための手段】
【０００５】
本発明の第１の態様によると、連絡先記録処理方法が提供され、前記方法は、
連絡先記録に記憶される電話番号の使用時間が前記電話番号の使用期限を超えたかを検出するステップと、
前記使用時間が前記使用期限を超えると、前記連絡先記録から前記電話番号を削除するステップと、を含む。
【０００６】
好ましくは、前記方法は、
プリセット周期によって、前記使用期限を取得するステップをさらに含むことを特徴とする。
【０００７】
好ましくは、前記プリセット周期によって前記使用期限を取得するステップは、
プリセット周期によって前記電話番号をサービス端にアップロードするステップと、
前記サービス端が送信する前記電話番号によって照会される使用期限を受信するステップと、を含む。
【０００８】
好ましくは、前記方法は、
発呼端の着呼（ＩｎｃｏｍｉｎｇＣａｌｌ）要求を受信すると、前記着呼要求によって着呼する電話番号を取得するステップと、
前記連絡先記録に前記電話番号が記憶されていない場合、サービス端が送信する前記発呼端の発呼ユーザー情報を取得するステップと、
前記連絡先記録に前記発呼ユーザー情報に対応する目標連絡先が記録されているかを照会するステップと、
前記目標連絡先が記録されていることが照会されると、前記電話番号を前記目標連絡先に対応するユーザー情報に追加するステップと、をさらに含み、
前記連絡先記録には、１つ以上の連絡先及び前記連絡先に対応するユーザー情報が記録されている。
【０００９】
好ましくは、前記サービス端が送信する前記発呼端の発呼ユーザー情報を取得するステップは、
前記着呼する電話番号を前記サービス端に送信するステップと、
前記サービス端が送信する前記着呼する電話番号によって照会される発呼ユーザー情報を受信するステップと、を含む。
【００１０】
本発明の第２の態様によると、連絡先記録処理方法が提供され、前記方法は、
端末の連絡先記録に記憶された電話番号の使用期限を照会するステップと、
前記使用期限を端末に送信して、端末が前記電話番号の使用時間が前記使用期限を超えることを検出すると、前記連絡先記録から前記電話番号を削除するステップと、を含む。
【００１１】
好ましくは、前記端末の連絡先記録に記憶された電話番号の使用期限を照会するステップは、
前記端末がアップロードした電話番号を受信するステップと、
第１のプリセット関係リストから前記電話番号に対応する使用期限を照会するステップと、を含み、
前記第１のプリセット関係リストには、電話番号と使用期限の対応関係が記録されている。
【００１２】
好ましくは、前記端末に着呼要求を送信する発呼端の発呼ユーザー情報を照会するステップと、
前記発呼ユーザー情報を前記端末に送信して、前記端末が前記電話番号を連絡先記録中の前記発呼ユーザー情報に対応する目標連絡先のユーザー情報に追加するステップと、をさらに含む。
【００１３】
好ましくは、前記端末に着呼要求を送信する発呼端の発呼ユーザー情報を照会するステップは、
前記端末が前記着呼要求を受信したときにアップロードした着呼する電話番号を受信するステップと、
第２のプリセット関係リストから前記着呼する電話番号に対応する発呼ユーザー情報を照会するステップと、を含み、
前記第２のプリセット関係リストには、ユーザー情報と電話番号の対応関係が記録されている。
【００１４】
本発明の第３の態様によると、連絡先記録処理装置が提供され、前記装置は、
連絡先記録に記憶される電話番号の使用時間が前記電話番号の使用期限を超えたかを検出するように構成される検出モジュールと、
前記検出モジュールが検出した前記電話番号の使用時間が前記使用期限を超えると、前記連絡先記録から前記電話番号を削除するように構成される削除モジュールと、を備える。
【００１５】
好ましくは、前記装置は、
プリセット周期によって、前記使用期限を取得するように構成される期限取得モジュールをさらに備える。
【００１６】
好ましくは、前記期限取得モジュールは、
プリセット周期によって前記電話番号をサービス端にアップロードするように構成される番号アップロードサブモジュールと、
前記サービス端が送信する前記番号アップロードサブモジュールがアップロードした前記電話番号によって照会される使用期限を受信するように構成される期限受信サブモジュールと、を備える。
【００１７】
好ましくは、発呼端の着呼（ＩｎｃｏｍｉｎｇＣａｌｌ）要求を受信すると、前記着呼要求によって着呼する電話番号を取得するように構成される番号取得モジュールと、
前記連絡先記録に前記番号取得モジュールが取得した電話番号が記憶されていない場合、サービス端が送信する前記発呼端の発呼ユーザー情報を取得するように構成される情報取得モジュールと、
前記連絡先記録に前記情報取得モジュールが取得した前記発呼ユーザー情報に対応する目標連絡先が記録されているかを照会するように構成される連絡先照会モジュールと、
前記連絡先照会モジュールが前記目標連絡先が記録されていることを照会すると、前記電話番号を前記目標連絡先に対応するユーザー情報に追加するように構成される追加モジュールと、をさらに備え、
前記連絡先記録には、１つ以上の連絡先及び前記連絡先に対応するユーザー情報が記録されている。
【００１８】
好ましくは、前記情報取得モジュールは、
前記着呼する電話番号を前記サービス端に送信するように構成される送信サブモジュールと、
前記サービス端が送信する、前記送信サブモジュールが送信する前記着呼する電話番号によって照会される発呼ユーザー情報を受信するように構成される情報受信サブモジュールと、を備える。
【００１９】
本発明の第４の態様によると、連絡先記録処理装置が提供され、前記装置は、
端末の連絡先記録に記憶された電話番号の使用期限を照会するように構成される期限照会モジュールと、
前記期限照会モジュールが照会した前記使用期限を端末に送信して、端末が前記電話番号の使用時間が前記使用期限を超えることを検出すると、前記連絡先記録から前記電話番号を削除するように構成される期限送信モジュールと、を備える。
【００２０】
好ましくは、前記期限照会モジュールは、
前記端末がアップロードした電話番号を受信するように構成される番号受信サブモジュールと、
第１のプリセット関係リストから前記番号受信サブモジュールが受信した前記電話番号に対応する使用期限を照会するように構成される期限照会サブモジュールと、を備え、
前記第１のプリセット関係リストには、電話番号と使用期限の対応関係が記録されている。
【００２１】
好ましくは、前記装置は、
前記端末に着呼要求を送信する発呼端の発呼ユーザー情報を照会するように構成される情報照会モジュールと、
前記情報照会モジュールが照会した前記発呼ユーザー情報を前記端末に送信して、前記端末が前記電話番号を連絡先記録中の前記発呼ユーザー情報に対応する目標連絡先のユーザー情報に追加するように構成される情報送信モジュールと、をさらに備える。
【００２２】
好ましくは、前記情報照会モジュールは、
前記端末が前記着呼要求を受信したときにアップロードした着呼する電話番号を受信するように構成される番号受信サブモジュールと、
第２のプリセット関係リストから前記番号受信モジュールが受信した前記電話番号に対応する発呼ユーザー情報を照会するように構成される情報検索サブモジュールと、を備え、
前記第２のプリセット関係リストには、ユーザー情報と電話番号の対応関係が記録されている。
【００２３】
本発明の第５の態様によると、連絡先記録処理装置が提供され、前記装置は、
プロセッサーと、
前記プロセッサーによって実行可能な命令を記憶するメモリと、を備え、
前記プロセッサーは、
連絡先記録に記憶された電話番号の使用時間が前記電話番号の使用期限を超えたかを検出し、
前記使用時間が前記使用期限を超えると、前記連絡先記録から前記電話番号を削除するように構成される。
【００２４】
本発明の第６の態様によると、連絡先記録処理装置が提供され、前記装置は、
プロセッサーと、
前記プロセッサーによって実行可能な命令を記憶するメモリと、を備え、
前記プロセッサーは、
端末の連絡先記録に記憶された電話番号の使用期限を照会し、
前記使用期限を端末に送信して、端末が前記電話番号の使用時間が前記使用期限を超えることを検出すると、前記連絡先記録から前記電話番号を削除するように構成される。
【００２５】
本発明の第７の態様によれば、
プロセッサーに実行されることにより、上記の連絡先記録処理方法を実現する、プログラムを提供する。
【００２６】
本発明の第８の態様によれば、
上記プログラムが記録されたコンピュータ読取可能な記録媒体を提供する。
【発明の効果】
【００２７】
本発明が提供した技術案によれば、以下のような有益な効果を獲得することができる。
【００２８】
本発明では、連絡先記録に記憶された電話番号の使用期限を確定するとともに、前記電話番号の使用時間が使用期限を超えたかを検出し、使用期限を超えた場合、連絡先記録から前記電話番号を自動的に削除する。本発明は、使用期限に到達すると、連絡先記録から前記使用期限を有する電話番号を自動的に削除して、ユーザーがアドレス帳を容易に管理する目的に達成するように支援できるので、ユーザーの便宜を図ることができる。
【００２９】
本発明では、プリセット周期によって前記使用期限を取得することができるので、使用期限に変化があったときアップデートして、電話番号の使用期限に達したか否かの判断がより正確になる。
【００３０】
本発明では、サービス端から使用期限を取得する方式が容易に実現でき、前記方式はさらに知能的であり、ユーザーの操作ステップを減らし、ユーザーの便宜を図ることができる。
【００３１】
本発明では、着呼端が発呼端の着呼要求を受信可能であり、着呼端の連絡先記録に前記電話番号が記憶されていない場合、サービス端が照会した発呼端の発呼ユーザー情報を取得するとともに、前記発呼ユーザー情報によって連絡先記録中の対応する目標連絡先を確定することができる。したがって、本発明は、電話番号を目標連絡先に対応するユーザー情報に自動的に追加することができる。本発明は、サービス端を介して発呼ユーザーに関連するより多くのユーザー情報を取得して、さらに発呼ユーザーを識別し、電話番号を自動的に記憶してユーザーの便宜を図ることができる。
【００３２】
本発明では、サービス端は複数個のユーザーに対応するユーザー情報を記録しているので、前記着呼する電話番号をサービス端に送信して、サービス端が前記着呼される電話番号によって発呼端のユーザー情報を照会できようにする。前記方式は容易に実現されるとともに、正確率が高い。
【００３３】
本発明では、サービス端は電話番号に対応する使用期限を照会するとともに、端末に提供して、端末が前記電話番号の使用時間が使用期限を超過したことを検出すると、連絡先記録から前記電話番号を削除にして、ユーザーがアドレス帳を容易に管理する目的に達成するように支援できるので、ユーザーの便宜を図ることができる。
【００３４】
本発明では、サービス端は第１のプリセット関係リストを確立して、電話番号と使用期限の対応関係を記録する。端末が使用期限を取得する必要があるとき、端末が送信した電話番号によって、第１のプリセットの関係リストから対応する使用期限を照会するとともに、端末にフィードバックする。前記方式は容易に実現され、使用期限を容易に照会し、正確率が高い。
【００３５】
本発明では、サービス端は前記発呼ユーザー情報を端末にフィードバックして、端末が前記電話番号を連絡先記録中の前記発呼ユーザー情報に対応する目標連絡先のユーザー情報に追加して、端末が発呼端が臨時電話番号を利用して発呼した着呼を受信するとき、臨時電話番号を連絡先記録に自動的に追加する。
【００３６】
本発明では、サービス端は第２のプリセット関係リストを確立して電話番号とユーザー情報の対応関係を記録する。端末が発呼ユーザー情報を取得する必要があるとき、端末が送信した着呼電話番号によって第２のプリセット関係リストから対応する発呼ユーザー情報を照会するとともに端末にフィードバックする。前記方式は容易に実現され、発呼ユーザー情報を容易に照会し、正確率が高い。
【００３７】
なお、前記一般的な記載及び後述の詳細な記載は、単なる例示的で解釈的な記載であり、本発明を限定しない。
【図面の簡単な説明】
【００３８】
以下の図面は、明細書に組み入れて本明細書の一部分を構成し、本発明に該当する実施例を例示するとともに、明細書とともに本発明の原理を解釈する。
【図１】本発明の一例示的な実施例に係る連絡先記録処理方法を示すフローチャートである。
【図２Ａ】本発明の一例示的な実施例に係る他の連絡先記録処理方法を示すフローチャートである。
【図２Ｂ】本発明の一例示的な実施例に係る他の連絡先記録処理方法を示すフローチャートである。
【図３】本発明の一例示的な実施例に係る他の連絡先記録処理方法を示すフローチャートである。
【図４】本発明の一例示的な実施例に係る連絡先記録処理装置を示すブロック図である。
【図５】本発明の一例示的な実施例に係る他の連絡先記録処理装置を示すブロック図である。
【図６】本発明の一例示的な実施例に係る他の連絡先記録処理装置を示すブロック図である。
【図７】本発明の一例示的な実施例に係る他の連絡先記録処理装置を示すブロック図である。
【図８】本発明の一例示的な実施例に係る他の連絡先記録処理装置を示すブロック図である。
【図９】本発明の一例示的な実施例に係る他の連絡先記録処理装置を示すブロック図である。
【図１０】本発明の一例示的な実施例に係る他の連絡先記録処理装置を示すブロック図である。
【図１１】本発明の一例示的な実施例に係る他の連絡先記録処理装置を示すブロック図である。
【図１２】本発明の一例示的な実施例に係る他の連絡先記録処理装置を示すブロック図である。
【図１３】本発明の一例示的な実施例に係る連絡先記録処理装置に応用されるブロック図である。
【図１４】本発明の一例示的な実施例に係る他の連絡先記録処理装置に応用されるブロック図である。
【発明を実施するための形態】
【００３９】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００４０】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００４１】
また、本発明は、第１の、第２の、第３等の用語を使って各種の情報を説明するが、それらの情報は前記用語に限定されない。それらの用語は、同一種類の情報同士を区分するためのものに過ぎない。例えば、本発明の範囲から逸脱しない範囲で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００４２】
本発明の実施例に係る連絡先記録処理方法は、使用期限を有する電話番号に対する自動管理に応用可能である。本発明の実施例において、端末は、連絡先記録に記録した電話番号の使用時間が使用期限を超えたかを検出し、使用期限を超えた場合、連絡先記録から前記電話番号を自動的に削除するので、ユーザーがアドレス帳を容易に管理する目的に達成するように支援でき、ユーザーの便宜を図ることができる。
【００４３】
本発明の実施例において、端末は、アドレス帳機能を有する、例えば、スマートフォン、タブレットＰＣ、ＰＤＡ（ＰｅｒｓｏｎａｌＤｉｇｉｔａｌ Ａｓｓｉｓｔａｎｔ）、電子ブックリーダー、マルチメディアプレーヤーなどのスマート端末であってもよい。スマート端末は、通常、アドレス帳アプリ（Ａpp）がインストールされており、アドレス帳中の連絡先記録には、１つ以上の連絡先及び連絡先に関連するユーザー情報が記憶されており、前記ユーザー情報は、通常、少なくともユーザー名称、１つ以上の電話番号（スマート端末が複数のＳＩＭカード機能を提供可能な場合、又は仮想ＳＩＭカード機能を提供可能な場合、ユーザー情報は複数の電話番号を含む。）を含み、ユーザー情報はＦＡＸ番号、インスタントメッセージングアカウント（例えば、Ｍｉｌｉａｏアカウント、ＱＱアカウント、又はウィーチャットアカウントなど）、メールアドレス、個人ホームページ、会社住所、自宅住所、誕生日などの他の情報をさらに含む。
【００４４】
端末（着呼端）が他の端末（発呼端）の着呼（ＩｎｃｏｍｉｎｇＣａｌｌ）要求を受信すると、着呼端は、着呼呼の要求によって、前記着呼する電話番号を取得することができる。前記着呼する電話番号が前記連絡先記録に記憶されている場合、前記着呼される電話番号に対応する目標連絡先を確定することができ、着呼端は、着呼表示インターフェイスに、前記目標連絡先のユーザー名を表示して、ユーザーが発呼端の発信者の身分を知ることができる。
【００４５】
通常、端末ユーザーは、前記連絡先記録に対して、例えば、連絡先及び連絡先に対応するユーザー情報を増加したり、ユーザー情報を変更したり、また、連絡先を削除するなどの管理を行う必要がある。本発明が提供した実施例は、連絡先記録に記憶された使用期限を有するいずれの電話番号の自動管理に応用することができる。よく見られる応用場面は、例えば、連絡先記録に記憶された仮想ＳＩＭカードの臨時電話番号の自動管理に応用されることである。
【００４６】
ユーザー（発呼ユーザー）は、事業者が提供した仮想ＳＩＭカードサービスを購入すると、事業者が提供する臨時携帯電話番号を取得することができる。仮想ＳＩＭカードは、伝統的物理ＳＩＭカード中のファイルパラメータを端末に直接記憶させる技術である。仮想ＳＩＭカードは、実体のＳＩＭカードが必要なく、スマート端末自体の処理機能で本当のＳＩＭカードの機能を実現し、ただスマート端末の一つのプログラム機能モジュールであることができ、スマート端末の資源を利用して、ＳＩＭカードの機能を実現する。本実施例のスマート端末は、仮想ＳＩＭカード管理機能を有するスマート端末であってもよい。
【００４７】
仮想ＳＩＭカードサービスが提供する電話番号は、通常、一定の使用期限が設定されている。前記使用期限は、ユーザーの実際の選択によって、例えば、一週間、一ヶ月、又は５ヶ月などそれぞれ異なる。ユーザーのスマート端末中のアドレス帳に前記臨時電話番号が記憶されている場合、前記臨時電話番号が使用期限に達すると効力を喪失するため、ユーザーの管理に不便を与える。
【００４８】
次に、図１を照会しながら、本発明の実施例が提供した連絡先記録処理方法の処理過程について説明する。図１は、一例示的な実施例に係る連絡先記録処理方法を示すフローチャートである。前記方法は、前記端末に応用可能であり、以下のようなステップを含んでもよい。
【００４９】
ステップ１０１：連絡先記録に記憶された電話番号の使用時間が前記電話番号の使用期限を超えたかを検出する。
【００５０】
本発明が提供した実施例では、前記電話番号は、よく見られる固定電話番号、モバイル事業者が提供した電話番号、モバイル事業者のコルネットクラスタネットワークサービス（Ｃｏｒｎｅｔｃｌｕｓｔｅｒ ｎｅｔｗｏｒｋ ｓｅｒｖｉｃｅｓ）が提供したコルネット（Ｃｏｒｎｅｔ）、又は仮想事業者が提供した仮想臨時番号等であってもよい。
【００５１】
端末は、連絡先記録に記憶された電話番号の使用時間及び前記電話番号の使用期限によって両者を比較して、使用時間が使用期限を超えたかを判断し、前記使用期限を超えた場合、前記電話番号が既に効力を喪失したことを表示するため、連絡先記録から前記電話番号を削除する。ここで、端末は様々な方式を介して電話番号の使用期限を確定することができる。電話番号を記憶するとき、前記電話番号の所有者（即ち、上述した仮想ＳＩＭカードサービスを購入した発呼ユーザー）から取得することができる。例えば、前記電話番号の所有者に問い合せ、また電話番号を記憶するとき、前記使用期限をスマート端末に入力して記録し、スマート端末は前記使用期限によって電話番号が効力を喪失したかを判断する。その他の選択可能な実現方式において、前記仮想ＳＩＭカードサービスを提供する事業者から使用期限を取得することもできる。
【００５２】
通常、使用期限は前記電話番号の購入日から一週、一ヵ月、又は５ヶ月などの異なる時間であってもよい。端末は、電話番号の使用時間が使用期限を超えるかを検出するときに、電話番号の現在の使用時間と前記使用期限を比較し、前記使用時間が前記使用期限を超えると、前記電話番号が効力を喪失したことを確定する。例えば、端末が記録したある電話番号の使用期限が５月１日から７月３１日までの３ヶ月である場合、８月１日に検出すると、８月１日が使用期限である７月３１日を超えているので、前記電話番号が効力を喪失したと確定して前記電話番号を削除する。
【００５３】
前記使用期限の検出を行うとき、端末はリアルタイム検出を行ってもよく、例えば、毎日のお昼１２時に検出する定時検出を行ってもよい。
【００５４】
実際の応用において、電話番号の使用期限が変化する。例えば、前記電話番号を購入したユーザーは、使用期限がまもなく近づくとき、費用を支払って、前記電話番号の使用期限を延長して、新しい使用期限を得ることができる。従って、選択可能な実現方式において、前記方法は、
プリセット周期によって、前記使用期限を取得するステップをさらに含んでもよい。
【００５５】
前記プリセット周期は５日、１０日又は３０日などであってもよい。当業者は実際の需要に応じて融通性よく設定することができる。本実施例は、これに対して限定しない。
【００５６】
本実施例では、プリセット周期によって前記使用期限を取得するので、使用期限に変化があるとき、適時にアップデートして、電話番号が使用期限に到達したかの判断がより正確になる。
【００５７】
ここで、前記プリセット周期によって前記使用期限を取得するステップは、
プリセット周期によって前記電話番号をサービス端にアップロードするステップと、
前記サービス端が送信する前記電話番号によって照会される使用期限を受信するステップと、を含んでもよい。
【００５８】
本実施例では、サービス端から前記使用期限を取得することができる。前記サービス端は、１つのサーバー、又は複数のサーバーからなるサーバーグループ、又は１つのクラウドコンピューティングサービスセンターであってもよい。前記サービス端は、前記仮想ＳＩＭカードサービスを提供するサービス端であってもよい。前記仮想ＳＩＭカードサービスを提供するサービス端は、スマート端末に関連するサービス端であってもよい。例えば、ユーザーがシャオミ携帯電話を使う場合、サービス端はシャオミサービス端であり、前記シャオミサービス端は、さらに仮想ＳＩＭカードサービスを提供し、ユーザーは、設定されたユーザーアカウントを介してシャオミサービス端にログインすることができる。前記ユーザーアカウントは、シャオミアカウントであってもよく、また、シャオミアカウントにバイディングされた他のアカウントであってもよい。例えば、バイドゥ（ＢＡＩＤＵ）アカウント、又はＱＱアカウントなどのシャオミサーバーにログイン可能な他のユーザーアカウントであってもよい。
【００５９】
ユーザーがサービス端から仮想ＳＩＭカードサービスを購入すると、サービス端にユーザーに提供した電話番号の使用期限が記録されるので、サービス端は前記使用期限を、前記電話番号を記憶する必要がある他のユーザーに提供することができる。従って、使用期限を取得する必要があるとき、端末は電話番号をサービス端にアップロードして、サービス端が前記電話番号によって照会した使用期限を受信することができる。本実施例では、サービス端から使用期限を取得する方式が容易に実現でき、前記方式はさらに知能的であり、ユーザーの操作ステップを減らし、ユーザーの便宜を図ることができる。
【００６０】
ステップ１０２：前記使用時間が前記使用期限を超えると、前記連絡先記録から前記電話番号を削除する。
【００６１】
前記ステップ１０１で確定された電話番号の使用時間が使用期限を超える場合、前記電話番号が既に効力を喪失したと確定するため、連絡先記録から前記電話番号を削除する。
【００６２】
上述した実施例から分かるように、本発明は、連絡先記録に記憶された電話番号の使用期限を確定するとともに、前記電話番号の使用時間が使用期限に達したかを検出し、使用期限を超える場合、連絡先記録から前記電話番号を自動的に削除する。本発明は、使用期限に到達すると、連絡先記録から前記使用期限を有する電話番号を自動的に削除するので、ユーザーがアドレス帳を容易に管理する目的に達成するように支援でき、ユーザーの便宜を図ることができる。
【００６３】
図２Ａに示すように、図２Ａは、一例示的な実施例に係る他の連絡先記録処理方法を示すフローチャートである。前記方法は端末に応用可能であり、前記方法は、図１に示された実施例に加え、電話番号を連絡先記録に自動的に追加する過程を説明し、以下のようなステップを含んでもよい。
【００６４】
ステップ２０１：発呼端の着呼要求が受信されると、前記着呼要求によって着呼する電話番号を取得する。
【００６５】
電話の呼び出しは、発呼及び着呼に分ける。発呼は電話をかけて呼び出すことであり、着呼は電話がかかってくることである。通俗的に言うと、発信は「電話をかける」側を指し、着呼は「電話を受ける」側を指す。電話をかけて呼び出す方が発呼端であり、電話が掛かって来られる方が着呼端である。本発明の実施例では、着呼端及び発呼端は、いずれの通話機能を有するスマート端末であってもよい。本発明の実施例に係る方法は、前記着呼端に応用可能である。発呼端が着呼端に着呼要求を送信し、前記着呼要求は、通常着呼する電話番号を携帯する。前記着呼する電話番号は、よく見られる固定電話番号、携帯電話事業者が提供する電話番号、携帯電話事業者のコルネットクラスタネットワークサービスが提供するコルネット、又は仮想事業者が提供する仮想臨時番号等であってもよい。
【００６６】
ステップ２０２：前記連絡先記録に前記電話番号が記憶されていない場合、サービス端が送信する前記発呼端の発呼ユーザー情報を取得する。
【００６７】
発呼ユーザーが仮想ＳＩＭサービスを購入すると、発呼ユーザーが臨時電話番号を利用して着呼ユーザーを呼び出す。着呼ユーザーのスマート端末が着呼要求を受信すると、前記着呼要求に対応するのが発呼ユーザーの臨時電話番号である。着呼ユーザーのスマート端末に発呼ユーザーの連絡先記録が記憶されているが、発呼ユーザーに対応するユーザー情報に前記臨時電話番号が含まれていないため、着呼端は前記着呼される臨時電話番号に対応する発呼ユーザーを識別することができない。この場合、サービス端が発呼端に送信する発呼ユーザー情報を取得することができる。
【００６８】
ここで、前記サービス端は、少なくとも一つ以上のユーザーのユーザー情報を記録可能である。例えば、スマート端末は、関連するサービス端にログインした後、自体の１つ以上のユーザー情報をサービス端にアップロードすることができる。前記ユーザー情報は、ユーザー名称、１つ以上の電話番号（スマート端末が複数のＳＩＭカード機能を提供可能な場合、又は仮想ＳＭＩカードの機能を提供可能な場合、ユーザー情報は、複数の電話番号を含む）、ファックス番号、インスタントメッセージングアカウント（例えば、シャオミアカウント、ＱＱアカウント、又はウィーチャットアカウントなど）、メールアドレス、個人ホームページ、会社住所、自宅住所、誕生日などのユーザー情報を含んでもよいが、これに限定しない。ここで、ユーザーの身分を唯一的に区別して識別成功率を向上させるために、本発明の実施例では、サービス端が着呼端に返還する発呼ユーザー情報は、電話番号、インスタントメッセージングアカウント、メールアドレス、又は個人ホームページなどの情報であってもよい。
【００６９】
ステップ２０３：前記連絡先記録に前記発呼ユーザー情報に対応する目標連絡先が記録されているかを照会する。
【００７０】
ここで、前記連絡先記録には、１つ以上の連絡先及び前記連絡先に対応するユーザー情報が記録されている。連絡先記録に少なくとも一つの連絡先及びそれに対応するユーザー情報が記録されているので、サービス端から発呼ユーザー情報を取得するとき、連絡先記録から発呼ユーザー情報に対応する連絡先、即ち、目標連絡先、また即ち、前記発呼ユーザーを照会することができる。
【００７１】
ステップ２０４：前記目標連絡先が記録されていることが照会されると、前記電話番号を前記連絡先記録中の前記目標連絡先に対応するユーザー情報に追加する。
【００７２】
本発明が提供した実施例では、着呼端は発呼端の着呼要求を受信する。着呼端の連絡先記録に前記電話番号が記憶されていない場合、サービス端が照会した発呼端の発呼ユーザー情報を取得することができ、前記発呼ユーザー情報によって連絡先記録中の対応する目標連絡先を確定することができる。前記目標連絡先がちょうど呼び出す発呼ユーザーである。従って、本実施例では、電話番号を目標連絡先に対応するユーザー情報に追加することができる。本発明の実施例は、サービス端を介して発呼ユーザーに関連するより多くのユーザー情報を取得して、発呼ユーザーを識別し、電話番号を自動的に記憶することによって、ユーザーの便宜を図ることができる。
【００７３】
一つの選択可能な実現方式において、前記サービス端が送信する前記発呼端の発呼ユーザー情報を取得するステップは、
前記着呼する電話番号を前記サービス端に送信するステップと、
前記サービス端が送信する前記着呼する電話番号によって照会される発呼ユーザー情報を受信するステップと、を含む。
【００７４】
前記着呼する電話番号は、発呼端に対応する電話番号をである。サービス端は複数のユーザーに対応するユーザー情報を記録しているので、着呼端は前記着呼する電話番号をサービス端に送信して、サービス端が前記着呼する電話番号によって発呼端のユーザー情報を照会する。前記方式は容易に実現され、正確率が高い。
【００７５】
続いて、図２Ｂに図示された他の連絡先記録処理方法を示すフローチャートを参照しながら詳細に説明する。発呼端は１つの物理ＳＩＭカードが挿入され、それは一つの常用電話番号に対応する。着呼端の連絡先記録に発呼ユーザー及び前記常用電話番号が記録される。発呼端は、さらに仮想ＳＩＭカード機能を有し、それは１つの臨時電話番号に対応する。発呼端は、仮想ＳＩＭカードに対応する臨時電話番号を利用して、着呼端に呼び出すことができ、着呼端は発呼端の着呼要求を受信する。着呼端は、前記仮想ＳＩＭカードの臨時電話番号が記録されていないため、前記着呼する電話番号をインターネットを介してシャオミサーバーにアップロードすることができる。
【００７６】
シャオミサーバーは、アップロードされた着呼電話番号（即ち、上述した仮想ＳＩＭカードの臨時番号）を受信する。サービス端には、ユーザー情報と電話番号の対応関係が記録されているので、サービス端は、対応する発呼端のユーザー情報を照会することができる。同時に、サーバーは着呼する電話番号に対応する使用期限を照会することもできる。
【００７７】
この時、照会される発呼端のユーザー情報は、発呼ユーザーのユーザーアカウント、ユーザー名称、電話番号、又はメールアドレスなどの一つ以上の情報である。
【００７８】
シャオミサーバーは、着呼端に前述した１つ以上のユーザー情報を返還することができる。識別成功率を向上させるために、本実施例のサービス端が着呼端に返還するユーザー情報は、前述した発呼ユーザーの常用電話番号を含むユーザーの全部電話番号であってもよい。同時に、シャオミサーバーはさらに臨時電話番号の使用期限を返還することもできる。
【００７９】
着呼端は、返還される発呼ユーザーの全部電話番号によって、アドレス帳中の連絡先リストにマッチングされるように記憶された連絡先を介して、対応する目標連絡先（発呼ユーザー）を取得することができる。
【００８０】
着呼端は、目標連絡先をマッチングした後、前記臨時電話番号を連絡先記録中の目標連絡先のユーザー情報に追加して、着呼表示インターフェイスに発呼ユーザーのユーザー名称を表示して、着呼ユーザーが発呼ユーザーの身元を知ることができるようにする。同時に、着呼端は、サービス端から前記電話番号の使用期限を取得することができ、使用期限に到達することを検出すると、連絡先記録から前記電話番号を削除する。
【００８１】
図３に示すように、図３は、一例示的な実施例に係る他の連絡先記録処理方法を示すフローチャートである。前記方法は、サービス端に応用可能であり、以下のようなステップを含んでもよい。
【００８２】
ステップ３０１：端末の連絡先記録に記憶された電話番号の使用期限を照会する。
【００８３】
ステップ３０２：前記使用期限を端末に送信して、端末が前記電話番号の使用時間が前記使用期限を超えたことを検出すると、前記連絡先記録から前記電話番号を削除する。
【００８４】
本発明の実施例では、サーバーは、１つのサーバー、又は複数のサーバーからなるサーバーグループ、又は１つのクラウドコンピューティングサーバーセンターであってもよい。前記サーバーは、スマート端末に関連するサービス端であってもよい。例えば、ユーザーがシャオミ携帯電話を使用すると、サービス端はシャオミサービス端であり、ユーザーがアップル携帯電話を使用すると、サービス端はアップルサービス端である。サービス端がシャオミサーバーである場合、ユーザーは設定されたユーザーアカウントを介してシャオミサーバーにログインすることができる。前記ユーザーアカウントは、シャオミアカウントであってもよく、シャオミアカウントにバイディングされた他のアカウントであってもよい。例えば、バイドゥアカウント、又はＱＱアカウントなどのシャオミサーバーにログイン可能な他のユーザーアカウントであってもよい。
【００８５】
ユーザーがサービス端から仮想ＳＩＭカードサービスを購入すると、サービス端には、ユーザーに提供した臨時電話番号の使用期限が記録される。サービス端は、前記使用期限を前記電話番号を記憶する必要がある他のユーザーに提供して、前記他のユーザーのスマート端末が前記電話番号の使用時間が使用期限を超えたことを検出すると、連絡先記録から前記電話番号を削除する。
【００８６】
上述した実施例から分かるように、本発明の実施例のサービス端は、電話番号に対応する使用期限を照会するとともに、端末に提供して、端末が前記電話番号の使用時間が使用期限を超えたことを検出すると、前記連絡先記録から前記電話番号を削除する。これによって、ユーザーがアドレス帳を容易に管理する目的に達成するように支援でき、ユーザーの便宜を図ることができる。
【００８７】
一つの選択可能な実現方式において、端末の連絡先記録に記憶された電話番号の使用期限を照会するステップは、
前記端末がアップロードした電話番号を受信するステップと、
プリセット関係リストから前記電話番号に対応する使用期限を照会するステップと、を含み、
前記プリセット関係リストには、電話番号と使用期限の対応関係が記録される。
【００８８】
本発明が提供した実施例では、サービス端は第１のプリセット関係リストを確立して、電話番号と使用期限の対応関係を記録する。端末が使用期限を取得する必要があるとき、端末が送信した電話番号によって、プリセット関係リストから対応する使用期限を照会するとともに、端末にフィードバックする。前記方式は容易に実現され、使用期限が容易に照会され、正確率が高い。
【００８９】
一つの選択可能な実現方式において、前記方法は、
前記端末に着呼要求を送信する発呼端の発呼ユーザー情報を照会するステップをさらに含む。
【００９０】
前記発呼ユーザー情報を前記端末に送信して、前記端末が前記電話番号を連絡先記録中の前記発呼ユーザー情報に対応する目標連絡先のユーザー情報に追加する。
【００９１】
本発明の実施例では、スマート端末は、関連するサービス端にログインした後、自体の複数のユーザー情報をサービス端にアップロードする。前記ユーザー情報は、ユーザー名称、１つ以上の電話番号（スマート端末が複数のＳＩＭカード機能を提供可能な場合、又は仮想SMIカード機能を提供可能な場合、ユーザー情報は複数の電話番号を含む）、ファックス番号、インスタントメッセージングアカウント（例えば、シャオミアカウント、ＱＱアカウント、又はウィーチャットアカウントなど）、メールアドレス、個人ホームページ、会社住所、自宅住所、誕生日などのユーザー情報を含んでもよいが、これに限定しない。ここで、ユーザーの身分を唯一的に区別して識別成功率を向上させるために、本発明の実施例では、サービス端が着呼端に返還する発呼ユーザー情報は、電話番号、インスタントメッセージングアカウント、メールアドレス、又は個人ホームページなどの情報であってもよい。
【００９２】
サービス端は前記発呼ユーザー情報を端末にフィードバックして、端末が前記電話番号を連絡先記録中の前記発呼ユーザー情報に対応する目標連絡先のユーザー情報に追加して、端末が発呼端に臨時電話番号を利用して呼び出すとき、臨時電話番号を連絡先記録に自動的に追加する。
【００９３】
一つの選択可能な実現方式において、前記端末に着呼要求を送信する発呼端の発呼ユーザー情報を照会するステップは、
前記端末が前記着呼要求を受信したときにアップロードした着呼する電話番号を受信するステップと、
第２のプリセット関係リストから前記着呼する電話番号に対応する発呼ユーザー情報を照会するステップと、を含み、
前記第２のプリセット関係リストには、ユーザー情報と電話番号の対応関係が記録されている。
【００９４】
本発明の実施例では、ユーザー情報が電話番号、ユーザー名称、及びユーザーアカウントなどの複数の情報を含むので、サービス端はそれぞれのスマート端末に対応するユーザー情報と電話番号などの間の対応関係を記録することができる。実際の応用において、サービス端は、第２のプリセット関係リストを確立して前記ユーザー情報の対応関係を記録する。
【００９５】
例えば、下記の表１は、サービス端の第２のプリセット関係リストに記録した一部ユーザー情報を示す。
【表１】
2017534226.tif 000019
【００９６】
表１から分かるように、当該表には、３人ユーザーのユーザー情報が記録されている。記録されたユーザー情報は、シャオミアカウント、スマート端末（スマート端末は、唯一識別子としてＭＡＣアドレスを使用する）、ユーザー名称、電話番号１、電話番号２、シャオミアカウント及びメールアドレスを含む。サービス端は、当該表により各ユーザーのユーザー情報の対応関係を記録した。
【００９７】
なお、前記第１のプリセットの関係リスト及び第２のプリセット関係リストは、前述した２つの対応関係、即ち電話番号と使用期限の対応関係、ユーザー情報と電話番号の対応関係を区別するためである。実際の応用において、ユーザー情報が電話番号を含むので、サービス端は、データ表のみを確立して、前述した２つの対応関係を記録してもよい。
【００９８】
本発明が提供した実施例では、サービス端は第２のプリセット関係リストを確立して電話番号とユーザー情報の対応関係を記録する。端末が発呼ユーザー情報を取得する必要があるとき、端末が送信する着呼電話番号によって、第２のプリセット関係リストから対応する発呼ユーザー情報を照会するとともに端末にフィードバックする。前記方式は容易に実現され、発呼ユーザー情報を容易に照会し、正確率が高い。
【００９９】
図４に示すように、図４は、本発明の一例示的な実施例に係る連絡先記録処理装置を示すブロック図である。前記装置は、検出モジュール４１０及び削除モジュール４２０を備える。
【０１００】
ここで、検出モジュール４１０は、連絡先記録に記憶される電話番号の使用時間が前記電話番号の使用期限を超えたかを検出するように構成される。
【０１０１】
削除モジュール４２０は、前記検出モジュール４１０が検出した前記使用時間が前記使用期限を超えると、前記連絡先記録から前記電話番号を削除するように構成される。
【０１０２】
上述した実施例から分かるように、連絡先記録に記憶された電話番号の使用期限を確定するとともに、前記電話番号の使用時間が使用期限を超えたかを検出し、使用期限を超えた場合、連絡先記録から前記電話番号を自動的に削除する。本発明は、使用期限に到達すると、連絡先記録から前記使用期限を有する電話番号を自動的に削除して、ユーザーがアドレス帳を容易に管理する目的に達成するように支援できるので、ユーザーの便宜を図ることができる。
【０１０３】
図５に示すように、図５は、本発明の一例示的な実施例に係る他の連絡先記録処理装置を示すブロック図である。前記実施例は、前述した図４に示された実施例に加え、前記装置は、期限取得モジュール４３０をさらに備える。
【０１０４】
ここで、期限取得モジュール４３０は、プリセット周期によって前記使用期限を取得するように構成される。
【０１０５】
上述した実施例から分かるように、プリセット周期によって前記使用期限を取得することができるので、使用期限に変化があったときアップデートして、電話番号の使用期限に達したか否かの判断がより正確になる。
【０１０６】
図６に示すように、図６は、本発明の一例示的な実施例に係る他の連絡先記録処理装置を示すブロック図である。前記実施例は、前述した図４に示された実施例に加え、前記期限取得モジュール４３０は、番号アップロードサブモジュール４３１及び期限受信サブモジュール４３２を備える。
【０１０７】
ここで、番号アップロードサブモジュール４３２は、プリセット周期によって前記電話番号をサービス端にアップロードするように構成される。
【０１０８】
期限受信サブモジュール４３２は、前記サービス端が送信する前記番号アップロードサブモジュール４３１がアップロードした電話番号によって照会される使用期限を受信するように構成される。
【０１０９】
上述した実施例から分かるように、サービス端から使用期限を取得する方式が容易に実現でき、前記方式はさらに知能的であり、ユーザーの操作ステップを減らし、ユーザーの便宜を図ることができる。
【０１１０】
図７に示すように、図７は、本発明の一例示的な実施例に係る他の連絡先記録処理装置を示すブロック図である。前記実施例は、図４に示された実施例に加え、前記装置は、番号取得モジュール４４０、情報取得モジュール４５０、連絡先照会モジュール４６０、及び追加モジュール４７０をさらに備える。
【０１１１】
ここで、番号取得モジュール４４０は、発呼端の着呼（ＩｎｃｏｍｉｎｇＣａｌｌ）要求を受信すると、前記着呼要求によって着呼する電話番号を取得するように構成される。
【０１１２】
情報取得モジュール４５０は、前記連絡先記録に前記番号取得モジュール４４０が取得した前記電話番号が記憶されていない場合、サービス端が送信する前記発呼端の発呼ユーザー情報を取得するように構成される。
【０１１３】
連絡先照会モジュール４６０は、前記連絡先記録に前記情報取得モジュール４５０が取得した前記発呼ユーザー情報に対応する目標連絡先が記録されているかを照会するように構成され、前記連絡先記録には、１つ以上の連絡先及び前記連絡先に対応するユーザー情報が記録されている。
【０１１４】
追加モジュール４７０は、前記連絡先照会モジュール４６０が、前記目標連絡先が記録されていることを照会すると、前記電話番号を前記目標連絡先に対応するユーザー情報に追加するように構成される。
【０１１５】
上述した実施例から分かるように、本発明は、着呼端が発呼端の着呼要求を受信可能であり、着呼端の連絡先記録に前記電話番号が記憶されていない場合、サービス端が照会した発呼端の発呼ユーザー情報を取得するとともに、前記発呼ユーザー情報によって連絡先記録中の対応する目標連絡先を確定することができる。したがって、本発明は、電話番号を目標連絡先に対応するユーザー情報に自動的に追加することができる。本発明は、サービス端を介して発呼ユーザーに関連するより多くのユーザー情報を取得して、さらに発呼ユーザーを識別し、電話番号を自動的に記憶してユーザーの便宜を図ることができる。
【０１１６】
図８に示すように、図８は、本発明の一例示的な実施例に係る他の連絡先記録処理装置を示すブロック図である。前記実施例は、前述した図４に示された実施例に加え、前記情報取得モジュール４５０は、送信サブモジュール４５１及び情報受信サブモジュール４５２を備える。
【０１１７】
ここで、送信サブモジュール４５１は、前記着呼する電話番号を前記サービス端に送信するように構成される。
【０１１８】
情報受信サブモジュール４５２は、前記サービス端が送信する、前記送信サブモジュールが送信する前記着呼する電話番号によって照会される発呼ユーザー情報を受信するように構成される。
【０１１９】
上述した実施例から分かるように、サービス端は複数個のユーザーに対応するユーザー情報を記録しているので、前記着呼する電話番号をサービス端に送信して、サービス端が前記着呼される電話番号によって発呼端のユーザー情報を照会できようにする。前記方式は容易に実現されるとともに、正確率が高い。
【０１２０】
図９に示すように、図９は、一例示的な実施例に係る他の連絡先記録処理装置を示すブロック図である。前記装置は、期限照会モジュール９１０及び期限送信モジュール９２０を備える。
【０１２１】
ここで、期限照会モジュール９１０は、端末の連絡先記録に記憶された電話番号の使用期限を照会するように構成される。
【０１２２】
期限送信モジュール９２０は、前記期限照会モジュール９１０が照会した前記使用期限を端末に送信して、端末が前記電話番号の使用時間が前記使用期限を超えることを検出すると、前記連絡先記録から前記電話番号を削除するように構成される。
【０１２３】
上述した実施例から分かるように、サービス端は電話番号に対応する使用期限を照会するとともに、端末に提供して、端末が前記電話番号の使用時間が使用期限を超過したことを検出すると、連絡先記録から前記電話番号を削除にして、ユーザーがアドレス帳を容易に管理する目的に達成するように支援できるので、ユーザーの便宜を図ることができる。
【０１２４】
図１０に示すように、図１０は、本発明の一例示的な実施例に係る他の連絡先記録処理装置を示すブロック図である。前記実施例は、図９に示された実施例に加え、前記期限照会モジュール９１０は、番号受信サブモジュール９１１及び期限照会サブモジュール９１２を備える。
【０１２５】
番号受信サブモジュール９１１は、前記端末がアップロードした電話番号を受信するように構成される。
【０１２６】
期限照会サブモジュール９１２は、第１のプリセット関係リストから前記番号受信サブモジュール９１１が受信した前記電話番号に対応する使用期限を照会するように構成され、前記第１のプリセット関係リストには、電話番号と使用期限の対応関係が記録されている。
【０１２７】
上述した実施例から分かるように、サービス端は第１のプリセット関係リストを確立して、電話番号と使用期限の対応関係を記録する。端末が使用期限を取得する必要があるとき、端末が送信した電話番号によって、第１のプリセットの関係リストから対応する使用期限を照会するとともに、端末にフィードバックする。前記方式は容易に実現され、使用期限を容易に照会し、正確率が高い。
【０１２８】
図１１に示すように、図１１は、本発明の一例示的な実施例に係る他の連絡先記録処理装置を示すブロック図である。前記実施例は、図９に示された実施例に加え、前記装置は、情報照会モジュール９３０及び情報送信モジュール９４０をさらに備える。
【０１２９】
ここで、情報照会モジュール９３０は、前記端末に着呼要求を送信する発呼端の発呼ユーザー情報を照会するように構成される。
【０１３０】
情報送信モジュール９４０は、前記情報照会モジュール９３０が照会した前記発呼ユーザー情報を前記端末に送信して、前記端末が前記電話番号を連絡先記録中の前記発呼ユーザー情報に対応する目標連絡先のユーザー情報に追加するように構成される。
【０１３１】
上述した実施例から分かるように、サービス端は前記発呼ユーザー情報を端末にフィードバックして、端末が前記電話番号を連絡先記録中の前記発呼ユーザー情報に対応する目標連絡先のユーザー情報に追加して、端末が発呼端が臨時電話番号を利用して発呼した着呼を受信するとき、臨時電話番号を連絡先記録に自動的に追加する。
【０１３２】
図１２に示すように、図１２は、本発明の一例示的な実施例に係る他の連絡先記録処理装置を示すブロック図である。前記実施例は、図９に示された実施例に加え、前記情報照会モジュール９３０は、番号受信サブモジュール９３１及び照会サブモジュール９３２を備える。
【０１３３】
ここで、番号受信サブモジュール９３１は、前記端末が前記着呼要求を受信したときにアップロードした着呼する電話番号を受信するように構成される。
【０１３４】
情報検索サブモジュール９３２は、第２のプリセット関係リストから前記番号受信モジュール９３１が受信した前記電話番号に対応する発呼ユーザー情報を照会するように構成され、前記第２のプリセット関係リストには、ユーザー情報と電話番号の対応関係が記録されている。
【０１３５】
上述した実施例から分かるように、サービス端は第２のプリセット関係リストを確立して電話番号とユーザー情報の対応関係を記録する。端末が発呼ユーザー情報を取得する必要があるとき、端末が送信した着呼電話番号によって第２のプリセット関係リストから対応する発呼ユーザー情報を照会するとともに端末にフィードバックする。前記方式は容易に実現され、発呼ユーザー情報を容易に照会し、正確率が高い。
【０１３６】
相応的に、本発明は、連絡先記録処理装置をさらに提供し、前記装置は、プロセッサーと、前記プロセッサーによって実行可能な命令を記憶するメモリと、を備え、前記プロセッサーは、
連絡先記録に記憶された電話番号の使用時間が前記電話番号の使用期限を超えたかを検出し、
前記使用時間が前記使用期限を超えると、前記連絡先記録から前記電話番号を削除するように構成される。
【０１３７】
相応的に、本発明は、他の連絡先記録処理装置をさらに提供し、前記装置は、プロセッサーと、前記プロセッサーによって実行可能な命令を記憶するメモリと、を備え、前記プロセッサーは、
端末の連絡先記録に記憶された電話番号の使用期限を照会し、
前記使用期限を端末に送信して、端末が前記電話番号の使用時間が前記使用期限を超えることを検出すると、前記連絡先記録から前記電話番号を削除するように構成される。
【０１３８】
前記装置中のそれぞれのユニットの機能及び作用の実現過程は、具体的に、前記方法の対応するステップの実現過程を照会すればいいので、ここで説明を省略する。
【０１３９】
装置の実施例は、基本的に方法の実施例に対応するため、関連する部分は、方法の実施例の部分の説明を照会すればいい。上述した装置の実施例は、単に例示的なものである。特に、前記分離部品として説明したユニットは、物理的に分離されたものであってもよく、又は分離されていないものであってもよい。ユニットとして表示される部品は、物理ユニットであってもよく、物理ユニットではなくてもよい。即ち、一箇所に位置してもよく、又は複数のネットワークユニットに分布されてもよい。実際の需要に応じて、その中の一部モジュール又は全部モジュールを選択して、本発明の技術的案の目的を達成することができる。当業者は、創造的な労働をしない前提で、理解して実施することができる。
【０１４０】
図１３に示すように、図１３は、本発明の一例示的な実施例に係る、図４に図示された連絡先記録処理装置１３００に応用されるブロック図である。例えば、装置１３００は、ルート機能を備えた携帯電話、コンピュータ、デジタルブロードキャスト端末、メッセージ送受信機、ゲーム機、タブレットデバイス、医療機器、フィットネス機器、ＰＤＡ等のものであってもよい。
【０１４１】
図１３を照会すると、装置１３００は、処理ユニット１３０２、メモリ１３０４、電源ユニット１３０６、マルチメディアユニット１３０８、オーディオユニット１３１０、入力/出力（Ｉ/Ｏ）インターフェース１３１２、センサーユニット１３１４、及び通信ユニット１３１６からなる群から選ばれる少なくとも１つを有してもよい。
【０１４２】
処理ユニット１３０２は、一般的には、装置１３００の全体の操作、例えば、表示、電話呼び出し、データ通信、カメラ操作及び記録操作に関連する操作を制御する。処理ユニット１３０２は、上述した方法におけるステップの一部又は全部を実現できるように、命令を実行する少なくとも１つのプロセッサー１３２０を有してもよい。また、処理ユニット１３０２は、他のユニットとのインタラクションの便宜を図るように、少なくとも１つのモジュールを有してもよい。例えば、処理ユニット１３０２は、マルチメディアユニット１３０８とのインタラクションの便宜を図るように、マルチメディアモジュールを有してもよい。
【０１４３】
メモリ１３０４は、装置１３００での操作をサポートするように、各種のデータを記憶するように配置される。これらのデータは、例えば、装置１３００で何れのアプリケーション又は方法を操作するための命令、連絡先データ、電話帳データ、メッセージ、画像、ビデオ等を含む。メモリ１３０４は、何れの種類の揮発性又は不揮発性メモリ、例えば、ＳＲＡＭ（ＳｔａｔｉｃＲａｎｄｏｍ Ａｃｃｅｓｓ Ｍｅｍｏｒｙ）、ＥＥＰＲＯＭ（ＥｌｅｃｔｒｉｃａｌｌｙＥｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ＰｒｏｇｒａｍｍａｂｌｅＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０１４４】
電源ユニット１３０６は、装置１３００の各種ユニットに電力を供給するためのものであり、電源管理システム、１つ又は複数の電源、及び装置１３００のために電力を生成、管理及び分配することに関連する他のユニットを有してもよい。
【０１４５】
マルチメディアユニット１３０８は、装置１３００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１３０８は、フロントカメラ及び/又はバックカメラを有してもよい。装置１３００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１４６】
オーディオユニット１３１０は、オーディオ信号を出力及び/又は入力するように配置される。例えば、オーディオユニット１３１０は、マイクロフォン（ＭｉＣ）を有してもよい。装置１３００が、例えば、呼び出しモード、記録モード、又は音声認識モードのような操作モードにあるとき、マイクロフォンは、外部のオーディオ信号を受信するように配置される。受信したオーディオ信号は、メモリ１３０４にさらに記憶されてもよいし、通信ユニット１３１６を介して送信されてもよい。一実施例では、オーディオユニット１３１０は、オーディオ信号を出力するためのスピーカをさらに有してもよい。
【０１４７】
Ｉ/Ｏインターフェース１３１２は、処理ユニット１３０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１４８】
センサーユニット１３１４は、装置１３００のために各方面の状態を評価する少なくとも１つのセンサーを有してもよい。例えば、センサーユニット１３１４は、装置１３００のオン/オフ状態や、ユニットの相対的な位置を検出することができる。例えば、前記ユニットは、装置１３００のディスプレイ及びキーパッドである。センサーユニット１３１４は、装置１３００又は装置１３００の１つのユニットの位置の変化、ユーザーによる装置１３００への接触の有無、装置１３００の方向又は加速/減速、装置１３００の温度変化などを検出することができる。センサーユニット１３１４は、何れの物理的な接触もない場合に付近の物体を検出するように配置される近接センサーを有してもよい。センサーユニット１３１４は、イメージングアプリケーションに用いるための光センサー、例えば、ＣＭＯＳ又はＣＣＤ画像センサーを有してもよい。一実施例では、当該センサーユニット１３１４は、加速度センサー、ジャイロスコープセンサー、磁気センサー、圧力センサー又は温度センサーをさらに有してもよい。
【０１４９】
通信ユニット１３１６は、装置１３００と他の設備の間との無線又は有線通信の便宜を図るように配置される。装置１３００は、例えば、ＷｉＦｉ、２Ｇ又は３Ｇ、又はそれらの組み合わせの通信標準に基づく無線ネットワークにアクセスできる。１つの例示的な実施例では、通信ユニット１３１６は、ブロードキャストチャンネルを介して外部のブロードキャスト管理システムからのブロードキャスト信号又はブロードキャストに関する情報を受信する。１つの例示的な実施例では、前記通信ユニット１３１６は、近距離通信を促進するために近距離無線通信（ＮＦＣ）モジュールをさらに有してもよい。例えば、ＮＦＣモジュールは、無線周波数認識（ＲＦＩＤ：ＲａｄｉｏＦｒｅｑｕｅｎｃｙ ＩＤｅｎｔｉｆｉｃａｔｉｏｎ）技術、赤外線データ協会（ＩｒＤＡ：ＩｎｆｒａｒｅｄＤａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）技術及び他の技術によって実現されてもよい。
【０１５０】
例示的な実施例では、装置１３００は、上述した方法を実行するために、１つ又は複数の特定用途向け集積回路（ＡＳＩＣ：ＡｐｐｌｉｃａｔｉｏｎＳｐｅｃｉｆｉｃ Ｉｎｔｅｇｒａｔｅｄ Ｃｉｒｃｕｉｔ）、デジタル信号プロセッサー（ＤＳＰ：ＤｉｇｉｔａｌＳｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：ＰｒｏｇｒａｍｍａｂｌｅＬｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１５１】
例示的な実施例では、命令を有する非一時的コンピュータ読み取り可能な記録媒体、例えば、命令を有するメモリ１３０４をさらに提供する。この命令は、装置１３００のプロセッサー１３２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピーディスク及び光データメモリ等であってもよい。
【０１５２】
非一時的コンピュータ読み取り可能な記録媒体は、前記記録媒体における命令が端末のプロセッサーにより実行されると、端末が連絡先記録処理方法を実行するようにする。前記方法は、
連絡先記録に記憶される電話番号の使用時間が前記電話番号の使用期限を超えたかを検出するステップと、
前記使用時間が前記使用期限を超えると、前記連絡先記録から前記電話番号を削除するステップと、を含む。
【０１５３】
図１４は一例示的実施例に係る、図９に示す連絡先処理装置１４００に応用されるブロック図である。例えば、装置１４００はサーバーとして提供されてもよい。図１４を照会すると、装置１４００は、１つ以上のプロセッサーがさらに含まれた処理ユニット１４２２と、処理ユニット１４２２により実行可能な命令、例えばプログラムを記憶するメモリ１４３２を代表とするメモリリソースとを含む。メモリ１４３２に記憶されたアプリケーションプログラムは、１つ以上のそれぞれが一組の命令に対応するモジュールを含んでもよい。また、前記いずれか１つの実施例に提供された方法を実行するために、処理ユニット１４２２は命令を実行するように配置される。
【０１５４】
装置１４００は、装置１４００の電源管理を実行するように配置された電源ユニット１４２６と、装置１４００をインターネットに接続させるように配置された有線又は無線インターネットインターフェース１４５０と、入力/出力（Ｉ/Ｏ）インターフェース１４５８とを有してもよい。装置１４００はメモリ１４３２に記憶された操作システム、例えばＷｉｎｄｏｗｓＳｅｒｖｅｒ、Ｍａｃ ＯＳ Ｘ、Ｕｎｉｘ, Ｌｉｎｕｘ、ＦｒｅｅＢＳＤなどに基づいて操作できる。
【０１５５】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、ただ例示的なものであって、本発明の本当の範囲と主旨は、以下の特許請求の範囲によって示される。
【０１５６】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【０１５７】
以上の内容は、本発明の好ましい実施例だけであって、本発明を限定しようとするものではなく、本発明の趣旨及び原則内でのいずれの修正、等同の交換、改進などのすべてが本発明の保護範囲内に含まれる。 
【国際調査報告】
2017534226.tif 000020
2017534226.tif 000021
2017534226.tif 000022
2017534226.tif 000023